(57)【要約】【課題】受け皿から貯留箱へのメダルの移し替えが容易な遊技機を提供することを目的とする。【解決手段】払い出されたメダルを貯留可能な下皿３１を備えた遊技機であって、下皿３１は、底板１０３（左底板１０３Ｌ、中底板１０３Ｃ、右底板１０３Ｒ）と、底板１０３の周縁から起立する左側板１０２Ｌ、右側板１０２Ｒ、および前板１０５（左固定前板１０１Ｌ、右固定前板１０１Ｒ）と、下皿３１に貯留されたメダルを該下皿３１外に排出可能な底板３１（中底板１０３Ｃ）の前縁と連なる開口部１１０と、操作部１０６の操作により、開口部１１０を閉塞する閉塞位置と、開口部１１０を開口する開口位置との範囲を移動可能な可動部１００と、を備える【選択図】図６
2019042091.tif 000002
【特許請求の範囲】
【請求項１】
払い出されたメダルを貯留可能な受け皿を備えた遊技機であって、
前記受け皿は、
底板と、
前記底板の周縁から起立する周縁壁と、
前記受け皿に貯留されたメダルを該受け皿外に排出可能であって、前記底板の前縁と連なる開口部と、
操作手段の操作により、前記開口部を閉塞する閉塞位置と、前記開口部を開口する開口位置との範囲を移動可能な可動部と、
を備えることを特徴とする遊技機。
【請求項２】
前記底板は、前記開口部側に向かって下り傾斜する傾斜面を備えること、
を特徴とする請求項１記載の遊技機。
【請求項３】
前記可動部を前記閉塞位置に付勢する付勢手段を備え、
前記可動部は、前記付勢手段の付勢に抗して横方向にスライドすることにより、前記閉塞位置から前記開口位置まで移動すること、
を特徴とする請求項１または請求項２に記載の遊技機。
【請求項４】
前記可動部は、前記開口位置まで移動したとき、前記周縁壁に設けた係合部に係合し得る被係合部を備え、
前記係合部に前記被係合部が係合したとき、前記可動部は移動が規制されること、
を特徴とする請求項１ないし請求項３のいずれか１項に記載の遊技機。
【請求項５】
前記可動部は、前記周縁壁の内部に収納されながら前記閉塞位置から前記開口位置に移動すること、
を特徴とする請求項１ないし請求項４のいずれか１項に記載の遊技機。
【請求項６】
前記可動部は、前記周縁壁の前側を通って前記閉塞位置から前記開口位置に移動すること、
を特徴とする請求項１ないし請求項４のいずれか１項に記載の遊技機。
【請求項７】
前記可動部が前記開口位置にあることを検出する検出手段を設け、
前記検出手段により前記可動部が前記開口位置にあることを検出した場合には、所定の報知を行う報知手段を備えること、
を特徴とする請求項１ないし請求項６のいずれか１項に記載の遊技機。
【発明の詳細な説明】
【技術分野】
【０００１】
本発明は、スロット遊技機など、遊技媒体としてメダルを使用して遊技する遊技機に関する。
【背景技術】
【０００２】
遊技機として一般的に知られているものに、パチンコ遊技機やスロット遊技機（スロットル、スロットマシン、回胴式遊技機ともいう）などがある。特にスロット遊技機は、遊技媒体としてメダルを使用して遊技する代表的な遊技機として知られている。
スロット遊技機は、大当たりに当選するなどの所定条件が成立することによって、所定枚数のメダルが遊技者に対して払い出され、この払い出されたメダルは、スロット遊技機の下部に備えられた受け皿に貯留されるようになっている（例えば、特許文献１参照）。そして、受け皿に貯留されたメダルは、受け皿が一杯になったり、遊技を終了したりするときなどに、遊技者の手によって受け皿から所定の貯留箱（いわゆるドル箱）に移動されるようになっている。
【先行技術文献】
【特許文献】
【０００３】
【特許文献１】特開２０１４−２２３３２３号公報
【発明の概要】
【発明が解決しようとする課題】
【０００４】
ところで、受け皿の周囲はメダルを貯めた際、受け皿からメダルがこぼれないようある程度の高さをもった壁（以下、周囲壁ともいう）で囲われている。そのため、メダルを貯留箱に移す際には、遊技者は、周囲壁をのりこえるようにメダルを掻き出さなければならず、その結果、メダルが貯留箱に入らずこぼれてしまうという問題点があった。
【０００５】
本発明は、上述した課題を解決するためになされたもので、受け皿から貯留箱へのメダルの移し替えが容易な遊技機を提供することを目的とする。
【課題を解決するための手段】
【０００６】
本発明は、上述の課題の少なくとも一部を解決するためになされたものであり、以下の適用例として実現することが可能である。なお、本欄における括弧内の参照符号や補足説明等は、本発明の理解を助けるために、後述する実施形態との対応関係を示したものであって、本発明を何ら限定するものではない。
【０００７】
[適用例１]
払い出されたメダルを貯留可能な受け皿（３１）を備えた遊技機（１）であって、前記受け皿は、底板（１０３，１０３Ｌ，１０３Ｃ，１０３Ｒ）と、前記底板の周縁から起立する周縁壁（１０２Ｌ，１０２Ｒ，１０５）と、前記受け皿に貯留されたメダルを該受け皿外に排出可能であって、前記底板の前縁と連なる開口部（１１０）と、操作手段（１０６，２００）の操作により、前記開口部を閉塞する閉塞位置と、前記開口部を開口する開口位置との範囲を移動可能な可動部（１００，１４０，１５０，１６０，２２０，２３０）と、を備えることを特徴とする遊技機。
【０００８】
[適用例２]
前記底板は、前記開口部側に向かって下り傾斜する傾斜面（１０３，１０３Ｌ，１０３Ｃ，１０３Ｒ）を備えること、を特徴とする適用例１に記載の遊技機。
【０００９】
[適用例３]
前記可動部を前記閉塞位置に付勢する付勢手段（１２５）を備え、前記可動部は、前記付勢手段の付勢に抗して横方向にスライドすることにより、前記閉塞位置から前記開口位置まで移動すること、を特徴とする適用例１または適用例２に記載の遊技機。
【００１０】
[適用例４]
前記可動部は、前記開口位置まで移動したとき、前記周縁壁に設けた係合部（１２０，１３３）に係合し得る被係合部（１１３，１３６ｂ２）を備え、前記係合部に前記被係合部が係合したとき、前記可動部は移動が規制されること、を特徴とする適用例１ないし適用例３のいずれか１項に記載の遊技機。
【００１１】
[適用例５]
前記可動部は、前記周縁壁の内部に収納されながら前記閉塞位置から前記開口位置に移動すること、を特徴とする適用例１ないし適用例４のいずれか１項に記載の遊技機。
【００１２】
[適用例６]
前記可動部は、前記周縁壁の前側を通って前記閉塞位置から前記開口位置に移動すること、を特徴とする適用例１ないし適用例４のいずれか１項に記載の遊技機。
【００１３】
[適用例７]
前記可動部が前記開口位置にあることを検出する検出手段（１７）を設け、前記検出手段により前記可動部が前記開口位置にあることを検出した場合には、所定の報知を行う報知手段（１９，２９，４１，４２）を備えること、を特徴とする適用例１ないし適用例６のいずれか１項に記載の遊技機。
【発明の効果】
【００１４】
本発明の遊技機によれば、受け皿から貯留箱へのメダルの移し替えを容易にすることができる。
【図面の簡単な説明】
【００１５】
【図１】本発明係る遊技機の全体斜視図である。
【図２】同遊技機の正面図である。
【図３】各リールに付した図柄の概念図である。
【図４】主制御基板側の回路構成を示すブロック図である。
【図５】サブ制御基板側の回路構成を示すブロック図である。
【図６】下皿の全体斜視図である。
【図７】図６において下皿内部の開閉機構を透視した図である。
【図８】開閉機構の説明図である。
【図９】開閉機構の分解斜視図である。
【図１０】可動板開口処理のフローチャートである。
【図１１】可動板関連コマンド受信処理のフローチャートである。
【図１２】変形例１に係わる下皿の全体斜視図であって、下皿内部の開閉機構を透視した図である。
【図１３】変形例１に係わる開閉機構の説明図である。
【図１４】変形例２に係わる下皿の全体斜視図である。
【図１５】変形例２に係わる開閉機構の説明図である。
【図１６】変形例３に係わる下皿の全体斜視図である。
【図１７】変形例４に係わる下皿の全体斜視図であって、下皿内部の開閉機構を透視した図である。
【図１８】変形例４に係わる開閉機構１０９の説明図である。
【図１９】変形例５に係わる主制御基板の回路構成を示すブロック図である。
【図２０】変形例５に係わる下皿の全体斜視図であって、下皿内部の開閉機構を透視した図である。
【図２１】変形例５に係わる下皿の全体斜視図であって、下皿内部の開閉機構を透視した図である。
【図２２】変形例５に係わるラックアンドピニオン機構の説明図である。
【図２３】変形例５に係わる下皿の全体斜視図であって、下皿内部の開閉機構を透視した図である。
【発明を実施するための形態】
【００１６】
以下、遊技機の一種である回胴式遊技機（スロットマシン）に本発明を適用した場合の一実施の形態を、図面に基づいて詳細に説明する。なお、遊技機の前方向は、遊技機から遊技者に向かう方向として説明し、遊技機の後方向は、遊技者から遊技機に向かう方向として説明する。
【００１７】
１．スロットマシンの構造
まず、図１に示す全体斜視図および図２に示す正面図を参照しつつ、スロットマシン１の全体的な構造について説明する。スロットマシン１は、図１に示すように、本体部２と前面扉３とを備えている。本体部２は前面を開放した箱状をなしており、前面扉３はその本体部２の前面側に開閉自在に取り付けられている。前面扉３が閉状態である場合（つまり、図１に示すような状態にある場合）には、前面扉３によって本体部２の前面側が閉鎖されるように構成されている。具体的には、ロック機構（図示しない）によって本体部２が開放不可能な状態にロックされている。なお、前面扉３のロックは、前面扉３に設けられたキーシリンダ１８における所定のキー操作によって解除可能となっている。
【００１８】
前面扉３の中央部上寄りには、樹脂製の板材からなる表示パネル４が配置されている（図１，図２参照）。この表示パネル４の中央には、縦長の３つの表示窓５Ｌ，５Ｃ，５Ｒが横並びに設けられている。具体的には、左側から順に、左表示窓５Ｌ、中表示窓５Ｃ、右表示窓５Ｒが並んでいる。表示窓５Ｌ，５Ｃ，５Ｒは、透明とされており、各表示窓５Ｌ，５Ｃ，５Ｒを通して上記本体部２の内部を視認可能に構成されている。なお、各表示窓５Ｌ，５Ｃ，５Ｒの間を仕切る部位をなくして１つの表示窓としてもよい。
【００１９】
本体部２の内部には、左リール６Ｌと、中リール６Ｃと、右リール６Ｒとが収納されている。各リール６Ｌ，６Ｃ，６Ｒはそれぞれ円筒状に形成されている。具体的には、透光性を有する部材（本形態では、透明な樹脂製の部材）で構成された円筒状のドラム部（図示しない）の外周部分に、同じく透光性を有する後述するリールテープ７Ｌ，７Ｃ，７Ｒ（図３参照）を１周巻回してできている。つまり、左リール６Ｌの外周面には後述する左リールテープ７Ｌに描かれた図柄が付されている。同じように、中リール６Ｃの外周面には後述する中リールテープ７Ｃに描かれた図柄が、また、右リール６Ｒの外周面には後述する右リールテープ７Ｒに描かれた図柄がそれぞれ付されている。
【００２０】
なお、各リール６Ｌ，６Ｃ，６Ｒの内側には、バックランプ４９（図５参照）がそれぞれ配設されている。よって、各バックランプ４９を点灯させた場合には、各リール６Ｌ，６Ｃ，６Ｒの外周面に付された図柄は、バックランプ４９によってリール内から照らされることになる。
【００２１】
各リール６Ｌ，６Ｃ，６Ｒは、各々の中心軸線が当該リール６Ｌ，６Ｃ，６Ｒの回転軸線となるように回転可能に支持されている。そして、各リール６Ｌ，６Ｃ，６Ｒの回転軸線は、略水平方向に延びる同一軸線上に配設され、図１および図２に示すように、それぞれのリール６Ｌ，６Ｃ，６Ｒが各表示窓５Ｌ，５Ｃ，５Ｒと１対１で対応している。従って、各リール６Ｌ，６Ｃ，６Ｒの外周面の一部が、それぞれ対応する表示窓５Ｌ，５Ｃ，５Ｒを通して視認可能な状態とされている。
【００２２】
また、リール６Ｌ，６Ｃ，６Ｒが回転すると、各表示窓５Ｌ，５Ｃ，５Ｒを通してリール６Ｌ，６Ｃ，６Ｒの外周面が上から下へ向かって移動しているかのように映し出される。これら各リール６Ｌ，６Ｃ，６Ｒは、それぞれステッピングモータ等のリール用モータ５５Ｌ，５５Ｃ，５５Ｒ（図４参照）に連結されており、各リール用モータ５５Ｌ，５５Ｃ，５５Ｒの駆動により各リール６Ｌ，６Ｃ，６Ｒがそれぞれ独立して回転駆動し得る構成となっている。
【００２３】
ここで、図３を参照して、各リール６Ｌ，６Ｃ，６Ｒに付される図柄について説明する。図３は、各リール６Ｌ，６Ｃ，６Ｒをなす帯状のリールテープ７Ｌ，７Ｃ，７Ｒの概念図である。左リールテープ７Ｌは左リール６Ｌに、中リールテープ７Ｃは中リール６Ｃに、右リールテープ７Ｒは右リール６Ｒにそれぞれ用いられる。図３に示すように、各リールテープ７Ｌ，７Ｃ，７Ｒには２１個の図柄が長手方向（図３中、上下方向）に沿って一列に描かれている。なお図３において、各リールテープ７Ｌ，７Ｃ，７Ｒに対応して１〜２１のコマ番号を付しているが、これらのコマ番号は説明の便宜上付されたものであり、各リールテープ７Ｌ，７Ｃ，７Ｒ、さらには各リール６Ｌ，６Ｃ，６Ｒに実際に付されているものではない。また、各リールに付される図柄をそれぞれ２１個としたが、２０個としてもよい。
【００２４】
図柄としては、「赤セブン」図柄（例えば、左リールテープ７Ｌの９番目）、「チェリー」図柄（例えば、左リールテープ７Ｌの２番目）、「スイカ」図柄（例えば、左リールテープ７Ｌの４番目）、「ベル」図柄（例えば、左リールテープ７Ｌの３番目）、「リプレイ」図柄（例えば、左リールテープ７Ｌの１番目）および「ブランク」図柄（例えば、左リールテープ７Ｌの６番目）の６種類がある。なお本形態では、図３に示すように、各リール６Ｌ，６Ｃ，６Ｒ（各リールテープ７Ｌ，７Ｃ，７Ｒ）において各種図柄の数や配置順序は異なっている。また、リールの図柄として上記６種類の図柄を用いた形態を示したが、７種類以上の図柄を用いた形態や、２〜５種類の図柄を用いた形態としてもよい。
【００２５】
また、表示窓５Ｌ，５Ｃ，５Ｒを通して視認可能な図柄数は、主として表示窓５Ｌ，５Ｃ，５Ｒの上下方向の長さによって決まる。本形態では、遊技者に視認可能な図柄数は、リール６Ｌ，６Ｃ，６Ｒ毎に３個ずつとなっている（図２中の破線で示す丸印を参照）。このため、各リール６Ｌ，６Ｃ，６Ｒがいずれも停止している状態では、９個の図柄が表示窓５Ｌ，５Ｃ，５Ｒを通じて視認可能となっている。
【００２６】
また本形態では、図２に示すように、各リール６Ｌ，６Ｃ，６Ｒの図柄が視認可能となる位置を一直線上に結んだ、計５本の有効ラインが設定されている。具体的には図２の一点鎖線で示す、左リール６Ｌの中段図柄，中リール６Ｃの中段図柄，右リール６Ｒの中段図柄を結んだ第１ラインＬ１と、左リール６Ｌの上段図柄，中リール６Ｃの上段図柄，右リール６Ｒの上段図柄を結んだ第２ラインＬ２と、左リール６Ｌの下段図柄，中リール６Ｃの下段図柄，右リール６Ｒの下段図柄を結んだ第３ラインＬ３と、左リール６Ｌの上段図柄，中リール６Ｃの中段図柄，右リール６Ｒの下段図柄を結んだ第４ラインＬ４と、左リール６Ｌの下段図柄，中リール６Ｃの中段図柄，右リール６Ｒの上段図柄を結んだ第５ラインＬ５とが設定されている。
【００２７】
なお本形態では、上記５本のラインの全てを有効ラインとした。しかしながら、上記５本のラインのうちの１本又は複数本（最大で４本）のラインを有効ラインとしてもよい。また、例えば、左リール６Ｌの上段図柄，中リール６Ｃの中段図柄，右リール６Ｒの上段図柄を結んだラインや、左リール６Ｌの下段図柄，中リール６Ｃの中段図柄，右リール６Ｒの下段図柄を結んだラインを有効ラインとしてもよい。また、例えば、左リール６Ｌの上段図柄，中リール６Ｃの中段図柄，右リール６Ｒの中段図柄を結んだラインや、左リール６Ｌの下段図柄，中リール６Ｃの中段図柄，右リール６Ｒの中段図柄を結んだライン等、左右非対称型のラインを有効ラインとしてもよい。
【００２８】
上記有効ラインＬ１〜Ｌ５上に図柄が所定の組み合わせで停止した場合には、入賞成立として、遊技媒体である遊技メダル（以下、単にメダルともいう）が所定数払い出される特典が付与されたり、遊技状態が移行される特典が付与されたりする。
【００２９】
図１に戻って、表示パネル４の下方左側には、各リール６Ｌ，６Ｃ，６Ｒの回転を開始させるために遊技者によって操作可能なスタートレバー８が設けられている。所定数（本形態では３枚）のメダルが投入されている状態でスタートレバー８が操作されると、各リール６Ｌ，６Ｃ，６Ｒが回転を開始して、表示窓５Ｌ，５Ｃ，５Ｒを通して図柄の可変表示が開始される。
【００３０】
表示パネル４の下方中央、且つ、スタートレバー８の右側には、回転している各リール６Ｌ，６Ｃ，６Ｒを個別に停止させるためのボタン状のストップボタン９Ｌ，９Ｃ，９Ｒが設けられている（図１，図２参照）。左ストップボタン９Ｌが操作（押圧）された場合には左リール６Ｌの回転が停止し、中ストップボタン９Ｃが操作（押圧）された場合には中リール６Ｃの回転が停止し、右ストップボタン９Ｒが操作（押圧）された場合には右リール６Ｒの回転が停止する。
【００３１】
図１に示すように、表示パネル４の右下側の前方にはメダル投入口１０が設けられている。メダル投入口１０は、単位遊技（一遊技、スロットゲーム、あるいは単に遊技ともいう）を行うためのベット操作として、遊技媒体であるメダルを本スロットマシン１に投入するためのものである。このメダル投入口１０内には、投入されたメダルを検出するための投入メダル検出センサ１０ａが設けられている。このため、メダル投入口１０にメダルが投入された場合には、メダルの投入があった旨の信号が投入メダル検出センサ１０ａから出力されることとなる。
【００３２】
メダル投入口１０の左方には、第１ベットボタン１１および第２ベットボタン１２が設けられている（図１，図２参照）。本スロットマシン１は、余剰に投入した分のメダルや入賞時に払い出された分のメダルを、所定の最大値（具体的には５０枚）になるまで仮想メダルとして貯留記憶するクレジット機能を有している。このクレジット機能が有効な場合には、貯留記憶されている仮想メダルの枚数が、表示パネル４内の表示窓５Ｌ，５Ｃ，５Ｒの下方左側に設けたクレジット数表示ランプ２１に表示される（図２参照）。第１ベットボタン１１は、仮想メダルを一度に３枚投入するためのベットボタンであり、第２ベットボタン１２は、仮想メダルを１枚投入するためのベットボタンである。つまり、これら第１ベットボタン１１および第２ベットボタン１２は、単位遊技を行うためのベット操作として、クレジット機能で記憶されている仮想メダルを用いることが可能である。
【００３３】
スタートレバー８の左方には、精算スイッチ１４が設けられている。精算スイッチ１４は、上記クレジット機能を有効又は無効にするためのスイッチである。このため例えば、仮想メダルが貯留記憶されている状況下で精算スイッチ１４を操作した場合には、仮想メダルがクレジット数表示ランプ２１に表示されていた枚数のメダルとなって後述するメダル排出口３０から払い出される。
【００３４】
表示パネル４のうち各表示窓５Ｌ，５Ｃ，５Ｒの下方の部位には、ストップ報知ランプ２０Ｌ，２０Ｃ，２０Ｒがそれぞれ設けられている（図２参照）。具体的には、左表示窓５Ｌのすぐ下方に左ストップ報知ランプ２０Ｌが、中表示窓５Ｃのすぐ下方に中ストップ報知ランプ２０Ｃが、右表示窓５Ｒのすぐ下方に右ストップ報知ランプ２０Ｒがそれぞれ配置されている。これらストップ報知ランプ２０Ｌ，２０Ｃ，２０Ｒは、ＡＴ中（アシストタイム：単位遊技で当選した遊技役の一部について、当選の報知や正解押し順に関する報知を行う機能が有効にされている状態）に所定の小役に当選した場合に、その小役の「正解押し順」に基づき、回転中のリールのうちでどのリールを１番目に停止すればよいのかを遊技者に報知するためのランプである。具体的には、例えば、回転中のリールのうちの中リール６Ｃを１番目に停止すべきであることを報知する場合には、３つのストップ報知ランプのうち中ストップ報知ランプ２０Ｃのみを点灯させる。
【００３５】
また、表示パネル４のうち右表示窓５Ｒの下方には、投入可能表示ランプ２２、再遊技表示ランプ２３および獲得枚数表示ランプ２４が設けられている（図２参照）。投入可能表示ランプ２２は、点灯状態となることでメダルが投入可能な状態であることを報知する。再遊技表示ランプ２３は、点灯状態となることで前回の単位遊技における再遊技役の入賞に伴い、自動ベット処理（遊技者が保有するメダルの数を減らすことなく、直前の遊技におけるベット数と同数のメダルがベットされた状態に自動的に設定する処理）が実行されたことを報知する。獲得枚数表示ランプ２４は、７セグメント表示器によって構成されており、遊技役の入賞に伴う払い出しの際にその枚数に応じたメダルの払出枚数を表示したり、遊技中に生じたエラーの情報（エラーコード）を表示したりする。
【００３６】
また、上述したクレジット数表示ランプ２１の左方には、遊技開始表示ランプ２５および投入枚数表示ランプ２６が設けられている（図２参照）。遊技開始表示ランプ２５は、点灯状態となることで遊技の開始が可能であること、即ち、スタートレバー８の操作を受付可能な状態であることを報知する。３つのランプからなる投入枚数表示ランプ２６は、ベット操作によって設定されたベット数に応じた数のランプが点灯する。
【００３７】
また、表示パネル４のうち右表示窓５Ｒの右方下側の位置には、一部遊技役報知ランプ２７が設けられている（図２参照）。３つのランプからなる一部遊技役報知ランプ２７は、ＢＢ役（「赤セブン」図柄の３つ揃い）に当選した場合、および、ＡＴ（アシストタイム）の設定中に所定の小役に当選した場合に、上記遊技役に対応したランプが点灯するようになっている。よって、一部遊技役報知ランプ２７のいずれかのランプが点灯することで、遊技者にとって当該遊技役の当選を認識することが可能となっている。
【００３８】
また、表示パネル４のうち右表示窓５Ｒの右方上側の位置には、可動板開口表示ランプ２９が設けられている（図２参照）。可動板開口表示ランプ２９は、後述する可動板１００が開口位置にあることを後述する可動板開口検出センサ１７が検出した場合に、点灯するようになっている。可動板開口表示ランプ２９の詳細については、後述する。
【００３９】
前面扉３の下部には、メダルを遊技者に払い出すためのメダル排出口３０と、そのメダル排出口３０によって払い出されたメダルを一定量まで貯留する下皿３１とが配設されている。下皿３１の構成については、後に詳述する。
【００４０】
一方、前面扉３の上部には、遊技の進行に伴い点灯したり点滅したりする複数の演出ランプ４０と、遊技の進行に伴い種々の効果音を鳴らしたり、遊技者に遊技状態を報知したりする左右一対のスピーカ４１と、遊技者に各種情報を与える画像表示装置４２の表示画面４２ａとが設けられている。画像表示装置４２は、遊技の進行に伴って各種画像演出（例えば、遊技状態に応じた背景画像や、ＡＴに設定された際に、入賞操作を遊技者に報知する画像を表示する演出）を実行するためのものである。
【００４１】
また、前面扉３の裏側には、前面扉３の開閉を検知する開閉検知センサ５３ａ、リセット／設定ボタン１５および設定表示ランプ２８が設けられている（図４参照）。リセット／設定ボタン１５は、通常時には、ＲＡＭ異常エラーを除くエラー状態や打止状態を解除するためのリセットスイッチとして機能する。一方、設定変更時には、設定値を変更するための設定スイッチとして機能する。なお、この設定変更時に設定表示ランプ２８には、その時点の設定値（設定値１〜設定値６）が表示される。
【００４２】
また、本スロットマシン１の本体部２の内部には、メダル投入口１０から投入されたメダルを貯留するメダル金庫（図示しない）、このメダル金庫に貯留されたメダルをメダル排出口３０から払い出すためのホッパー５４（図４参照）、ホッパー５４の駆動により払い出されたメダルを検出する払出メダル検出センサ５２ａ、および、電源ボックス（図示しない）が設けられている。電源ボックスには、本スロットマシン１への電源投入および電源断の操作を受け付ける電源スイッチ５９、および、設定変更モードに切り替えるための設定キースイッチ１６が設けられている。
【００４３】
２．スロットマシンが備える回路の構成
次に、図４，図５を参照して本スロットマシン１の回路の構成（電気的な接続構成）について説明する。図４のブロック図に示す主制御基板６０は、回路基板上に設置されたマイクロコンピュータ（遊技制御用マイコン）６１を主たる構成要素とした基板（電子回路基板）である。遊技制御用マイコン６１は、ＣＰＵ６２、ＲＯＭ６３およびＲＡＭ６４によって構成されている。
【００４４】
ＣＰＵ６２は、ＲＯＭ６３に記憶された制御プログラムに基づいて、遊技に関する制御を行う。ＣＰＵ６２には、クロックパルスを発生させるためのクロックパルス発生回路（図示しない）や、所定範囲の乱数（例えば、０〜６５５３５）を発生させるための乱数発生器（図示しない）や、発生された乱数の中から用途に応じて少なくとも１つの値を抽出するサンプリング回路（図示しない）が接続されている。ＣＰＵ６２は、上記クロックパルス発生回路により発生するクロックパルスに基づいて制御プログラムを実行する。また、サンプリング回路によって抽出した乱数値を用いて、例えば遊技役の決定（抽選）やＲＴ遊技状態が続くゲーム数の上乗せ回数の抽選などを行う。
【００４５】
ＲＯＭ６３は、上記制御プログラムのほかに、役抽選テーブル，上乗せ回数抽選テーブル等のデータテーブル、後述するサブ制御基板７０に対して各種コマンドを送信するためのデータ等を記憶している。ＲＡＭ６４は、制御プログラムの実行により決定された各種データを格納する格納領域を備えている。
【００４６】
上述の遊技制御用マイコン６１には、入出力回路６９を介して、下記に示す各種センサ類、スイッチ類および基板類が接続されている。即ち、図４に示す投入メダル検出センサ１０ａ、第１ベット検出センサ１１ａ、第２ベット検出センサ１２ａおよびスタート検出センサ８ａが接続されている。投入メダル検出センサ１０ａは、上述のメダル投入口１０に投入されたメダルを検出して信号を出力する。第１ベット検出センサ１１ａは、第１ベットボタン１１の操作（押下）を検出して信号を出力する。第２ベット検出センサ１２ａは、第２ベットボタン１２の操作（押下）を検出して信号を出力する。スタート検出センサ８ａは、スタートレバー８の操作を検出して信号を出力する。
【００４７】
また、回胴検出センサ５０ａ、リール位置検出センサ５１ａ、払出メダル検出センサ５２ａおよびＳＢ操作信号基板９１が接続されている（図４参照）。回胴検出センサ５０ａは、各リール６Ｌ，６Ｃ，６Ｒの回転速度が所定の設定速度に達した場合に信号を出力する。リール位置検出センサ５１ａは、各リール６Ｌ，６Ｃ，６Ｒのリール基準位置（例えば、図３に示す数値（コマ番号）で「１」の位置）がどこに停止しているかをそれぞれ検出して信号を出力する。払出メダル検出センサ５２ａは、ホッパー５４の駆動により外部に払い出されたメダルを検出して信号を出力する。また、ＳＢ操作信号基板９１は、各ストップボタン（左ストップボタン９Ｌ，中ストップボタン９Ｃ，右ストップボタン９Ｒ）の操作（押圧）をそれぞれ検出する。そして、いずれか１つのストップボタンの操作を受け付けた場合には当該ストップボタンの操作に関する信号を出力する。
【００４８】
また、上述した開閉検知センサ５３ａ、精算スイッチ１４および設定キースイッチ１６に加えて、リセット検出センサ１５ａ、電源基板９２および可動板開口検出センサ１７が接続されている（図４参照）。リセット検出センサ１５ａは、上述のリセット／設定ボタン１５の操作（押圧）を検出して信号を出力する。電源基板９２は、主制御基板６０を通じて、本スロットマシン１に電力を供給するための基板である。電源基板９２には上述の電源スイッチ５９が設けられている。可動板開口検出センサ１７は、後述する可動板１００が開口位置にあることを検出して信号を出力する。可動板開口検出センサ１７の詳細については、後述する。
【００４９】
なお本形態では、遊技制御用マイコン６１が、入出力回路６９を介して、上述した各種センサ類、スイッチ類および基板類からの信号を受信し得る構成となっている。
【００５０】
また、遊技制御用マイコン６１には、上述した各種表示用ランプ（具体的には、ストップ報知ランプ２０Ｌ，２０Ｃ，２０Ｒ、クレジット数表示ランプ２１、投入可能表示ランプ２２、再遊技表示ランプ２３、獲得枚数表示ランプ２４、遊技開始表示ランプ２５、投入枚数表示ランプ２６、一部遊技役報知ランプ２７、設定表示ランプ２８および可動板開口表示ランプ２９）が接続されている（図４参照）。このため、遊技制御用マイコン６１は、各種表示用ランプの制御（例えば、点灯や消灯や数値の表示の制御）が可能となっている。
【００５１】
また、遊技制御用マイコン６１には、上述したホッパー５４、および、各リール６Ｌ，６Ｃ，６Ｒを回転駆動するリール用モータ５５Ｌ，５５Ｃ，５５Ｒが接続されている。このため、遊技制御用マイコン６１は、ホッパー５４によるメダルの払い出しについての制御、および、リール用モータ５５Ｌ，５５Ｃ，５５Ｒによる各リール６Ｌ，６Ｃ，６Ｒの回転駆動に関する制御が可能となっている。
【００５２】
また、遊技制御用マイコン６１には、外部情報端子板１９が接続されている。遊技制御用マイコン６１は、外部情報端子板１９を介して所定の遊技や異常などに係わる情報をホールコンピュータ等の外部装置に出力する。なお、外部情報端子板４５から出力される情報の中には、エラー情報として可動板開口検出センサ１７が、後述する可動板１００が開口位置にあることを検出している情報も含んでいる。これについては、後述する。
【００５３】
また、遊技制御用マイコン６１には、図５に示すサブ制御基板７０が接続されている。サブ制御基板７０は、回路基板上に設置されたマイクロコンピュータ（演出制御用マイコン）７１を主たる構成要素とした基板である。演出制御用マイコン７１は、主制御基板６０から送信されるコマンドに基づいて演出内容の決定や実行等の処理を行う。この演出制御用マイコン７１は、上記遊技制御用マイコン６１と同じように、ＣＰＵ７２、ＲＯＭ７３およびＲＡＭ７４によって構成されている。
【００５４】
ＣＰＵ７２は、主制御基板６０から送信されたコマンドに応じて、ＲＯＭ７３に記憶された制御プログラムに基づいて、画像を用いた演出やランプを用いた演出や音声を用いた演出に関する制御を行う。このＣＰＵ７２には、主制御基板６０の上記ＣＰＵ６２と同じように、図示しない乱数発生器及びサンプリング回路が接続されており、そのサンプリング回路によって抽出した乱数値を用いて、例えば演出パターンの選定などを行う。ＲＯＭ７３は、上記制御プログラムや各種データ等を記憶している。ＲＡＭ７４は、決定された演出内容や演出データを登録する格納領域や、主制御基板６０から送信される各種データを格納する格納領域を備えている。
【００５５】
なお、サブ制御基板７０から主制御基板６０への情報伝達（信号の伝送）は、不可能となっている。つまり、サブ制御基板７０からの信号が主制御基板６０へ出力されることはない。
【００５６】
演出制御用マイコン７１には、図５に示すように、サブ制御基板７０の入出力回路７９を介して、スピーカ４１が接続されている。このため、演出制御用マイコン７１は、スピーカ４１を通じて音声、楽曲、効果音等の音声出力に関する制御が可能となっている。なお本形態では、演出制御用マイコン７１のＲＯＭ７３に音声等のデータを格納している。なお、サブ制御基板７０とスピーカ４１との間にＣＰＵを実装した基板を介在させてもよい。その場合、そのＣＰＵに音声出力に関する制御を実行させてもよい。さらにこの場合、その基板にＲＯＭを実装してもよく、そのＲＯＭに音声等のデータを格納してもよい。
【００５７】
演出制御用マイコン７１には、図５に示すように、上述した演出ランプ４０やバックランプ４９等のランプが接続されている。このため、演出制御用マイコン７１は、それらランプの点灯制御が可能となっている。
【００５８】
画像制御基板８０は、ＣＰＵ８２、ＲＯＭ８３およびＲＡＭ８４を備えている（図５参照）。ＲＯＭ８３は、画像表示装置４２（表示画面４２ａ）に表示される静止画データや動画データを格納している。またＲＡＭ８４は、画像データを展開するためのメモリである。画像制御基板８０は、画像表示装置４２に表示する演出画像の出力制御を行う。即ち、演出制御用マイコン７１からのコマンドに基づいて、ＣＰＵ８２はＲＯＭ８３から画像データを読み出す。そして、読み出した画像データをＲＡＭ８４で展開して、画像表示装置４２の表示画面４２ａ上に演出画像を表示する。
【００５９】
３．下皿の構成
図６〜図９に基づいて、下皿３１の構成について説明する。図６は、下皿３１の全体斜視図、図７は、図６において下皿３１内部の開閉機構１０９を透視した図、図８は、開閉機構１０９の説明図、図９は、開閉機構１０９の分解斜視図である。下皿３１は、左端奥側に左接続部１１１Ｌが、右端奥側に右接続部１１１Ｒが設けられ、この左接続部１１１Ｌおよび右接続部１１１Ｒにより、上述した図１に示すように前面扉３の下部に接続されている。
【００６０】
下皿３１は、底板１０３と、該底板１０３の周縁から起立する左側板１０２Ｌ、右側板１０２Ｒ、および前板１０５で形成され、図１に示すように前面扉３の前方に突出するように設けられている。つまり、下皿３１は、底板１０３、左側板１０２Ｌ、右側板１０２Ｒ、前板１０５と、前面扉３の下部とで、メダル排出口３０から払い出されたメダルを一定量まで貯留可能な上部が開放されたメダル貯留空間１１２を有している。
【００６１】
底板１０３は、長手方向の中央に中底板１０３Ｃと、中底板１０３Ｃの左側に連設される左底板１０３Ｌと、中底板１０３Ｃの右側に連設される右底板１０３Ｒとで形成されている。これら３つの底板１０３Ｌ，１０３Ｃ，１０３Ｒの長手方向の長さは、略同じ長さに形成され、左底板１０３Ｌと右底板１０３Ｒは、中底板１０３Ｃ側に向かって所定の勾配で下り傾斜する傾斜面として形成されている。また、底板１０３全体（左底板１０３Ｌ、中底板１０３Ｃ、右底板１０３Ｒ）は、前板１０５側に向かって所定の勾配で下り傾斜する傾斜面として形成されている。つまり、左底板１０３Ｌと右底板１０３Ｒは、中底板１０３Ｃ側および前板１０５側に向かって所定の勾配で下り傾斜する傾斜面として形成されている。すなわち、左底板１０３Ｌ、中底板１０３Ｃ、右底板１０３Ｒは、開口部１１０側に向かって所定の勾配で下り傾斜する傾斜面として形成される。
【００６２】
前板１０５は、左固定前板１０１Ｌと、右固定前板１０１Ｒと、可動板１００とを有している。左固定前板１０１Ｌは、左底板１０３Ｌの前縁から起立して形成され、右固定前板１０１Ｒは、右底板１０３Ｒの前縁から起立して形成されている。可動板１００は、中底板１０３Ｃの前端であって、左固定前板１０１Ｌと右固定前板１０１Ｒとの間に配置され、操作部１０６の操作により前板１０５を閉塞する閉塞位置と、前板１０５を開口する開口位置との範囲を移動可能に設けられている。すなわち、可動板１００は、前板１０５の開閉動作を行う。そして、可動板１００が開口位置にある状態では、メダル貯留空間１１２には底板１０３（中底板１０３Ｃ）の前縁と連なる開口部１１０が形成されるようになっている。なお、図６（ａ）、図７（ａ）、図８（ａ）は可動板１００が閉塞位置にある状態を示し、図６（ｂ）、図７（ｂ）、図８（ｂ）は可動板１００が開口位置にある状態を示している。
【００６３】
図９に示すように、可動板１００は、矩形板状に形成され、上面１００ａの左端部には、支持棒１０６ａと操作レバー１０６ｂからなる操作部１０６が上方に突出するように設けられている。可動板１００の下面１００ｂには、短手方向の中央に、長手方向全長に亘る蒲鉾状の摺動溝１０４が設けられている。可動板１００の左側面１００ｃ下部には、図７（ａ）のＡ、図８（ａ）のＤに示すように後述する係合溝１２０に係脱自在に係合し得る、板部１１３ａと突起部１１３ｂからなる係止部１１３が設けられている。なお、図８は、左固定前板１０１Ｌおよび右固定前板１０１Ｒの前面板を取り除いた状態を示し、図９は、左固定前板１０１Ｌの前面板を取り除いた状態を示している。
【００６４】
左固定前板１０１Ｌは、内部が空洞の矩形板状に形成されており、この空洞により、可動板１００は、閉塞位置から開口位置に移動するとき、左固定前板１０１Ｌの内部に収納されながら移動可能になっている。左固定前板１０１Ｌの上板１０１Ｌａには、長手方向に亘ってガイド溝１０７が穿設されている。ガイド溝１０７には、支持棒１０６ａが遊挿され、操作レバー１０６ｂが上板１０１Ｌａの上方に位置するようになっている。つまり、ガイド溝１０７は、可動板１００の操作部１０６をガイドする機能を有しており、操作レバー１０６ｂは、ガイド溝１０７に沿って左右に移動可能になっている。
【００６５】
左固定前板１０１Ｌの下板１０１Ｌｂの上面には、ガイドレール１０８と、係合溝１２０と、可動板開口検出センサ１７とが設けられている。ガイドレール１０８は、下板１０１Ｌｂの短手方向の中央に、ほぼ長手方向全長に亘って蒲鉾状に隆起し、可動板１００の摺動溝１０４と係合可能になっている。ガイドレール１０８は、摺動溝１０４と長手方向の寸法が同じ長さに形成され、このガイドレール１０８上を摺動溝１０４が摺動するようになっている。つまり、ガイドレール１０８は、可動板１００本体をガイドする機能を有しており、可動板１００本体は、ガイドレール１０８に沿って左右に移動可能になっている。
【００６６】
図７（ａ）のＢ、図８（ａ）のＥに示すように係合溝１２０は、下板１０１Ｌｂの上面に矩形状に穿設された溝であって、可動板１００が開口位置に移動したとき、図７（ｂ）のＣ、図８（ｂ）のＦに示すように係止部１１３の突起部１１３ｂが嵌り込むようになっている。
【００６７】
可動板開口検出センサ１７は、光センサとして構成され、図７（ａ）のＢに示すように係合溝１２０の近傍に発光素子１７ａと受光素子１７ｂとが設けられている。可動板開口検出センサ１７は、突起部１１３ｂが係合溝１２０に嵌り込んで発光素子１７ａから発せられた光が係止部１１３で遮られて受光素子１７ｂで受光できなくなることに基づいて、可動板１００が開口位置にあることを検出する。なお、可動板開口検出センサ１７は光センサに限定することなく、メカ式のマイクロスイッチなどを用いるようにしてもよい。
【００６８】
左固定前板１０１Ｌの側板１０１Ｌｃの略中央には、可動板１００側に水平に突出する円柱状の棒部材１２２が設けられている。棒部材１２２には、図９に示すようにスプリング１２５の一端側が取り付けられている。スプリング１２５の他端側は、可動板１００の左側面１００ｃの略中央に取り付けられている。このスプリング１２５は、可動板１００を右固定前板１０１Ｒ側に付勢しており、従って、可動板１００を開口位置に移動する場合には、スプリング１２５の付勢に抗して行うことになる。
【００６９】
次に、下皿３１のメダル貯留空間１１２に貯留されたメダルを外部のドル箱などに移動する場合について説明する。メダル排出口３０から払い出されたメダルが下皿３１に貯留され、メダル貯留空間１１２がメダルで満杯になると、遊技者は、操作レバー１０６ｂを左側にスライドさせて可動板１００を図６（ａ）、図７（ａ）、図８（ａ）に示す閉塞位置から、図６（ｂ）、図７（ｂ）、図８（ｂ）に示す開口位置に移動させる。閉塞位置では、可動板１００は、図８（ａ）に示すようにスプリング１２５の付勢力により、右側面１００ｄが右固定前板１０１Ｒの側板１０１Ｒｃに当接しており、可動板１００の右端部分がわずかに右固定前板１０１Ｒの内部に収納されている。つまり、右側面１００ｄと側板１０１Ｒｃは、閉塞位置の位置決め部材として機能する。
【００７０】
可動板１００が閉塞位置にある状態でスプリング１２５の付勢力に抗して操作レバー１０６ｂを左側にスライドさせると、支持棒１０６ａがガイド溝１０７に案内され、摺動溝１０４がガイドレール１０８上を摺動する。そして、支持棒１０６ａがガイド溝１０７の左端部に当接すると、それと同時に可動板１００の左側面１００ｃが棒部材１２２の先端部に当接するとともに、係止部１１３の突起部１１３ｂが係合溝１２０に嵌り込む。突起部１１３ｂが係合溝１２０に嵌り込むことにより、可動板１００の移動が規制され、可動板１００は開口位置に保持される。つまり、支持棒１０６ａとガイド溝１０７、左側面１００ｃと棒部材１２２は、開口位置の位置決め部材として機能し、突起部１１３ｂと係合溝１２０は、開口位置の位置保持部材として機能する。
【００７１】
このように、可動板１００を閉塞位置から開口位置に移動するには、操作レバー１０６ｂをスライドできなくなるまでスライドさせるだけのワンタッチ操作で、極めて容易におこなうことができる。また、遊技者が遊技中に意図せずに操作レバー１０６ｂに触れてしまっても、スプリング１２５の付勢力により可動板１００が誤って開口位置に移動してしまうのを抑止することができる。また、開口位置では可動板１００は固定されるので、遊技者は両手を自由に使って貯留されたメダルを外部のドル箱などに移すことができる。さらに、可動板１００は、閉塞位置から開口位置に移動するとき、左固定前板１０１Ｌの内部に収納されながら移動するので、つまりメダル貯留空間１１２を通らないので、可動板１００の移動によりメダルを噛むことがない。その結果、下皿３１のメダル貯留空間１１２に貯留されたメダルを開口部１１０から外部のドル箱などに移すときに、可動板１００が閉塞位置から開口位置にスムースに移動できないというトラブルを抑止することができる。
【００７２】
可動板１００を開口位置に移動させる過程では、係止部１１３の突起部１１３ｂは左固定前板１０１Ｌの下板１０１Ｌｂと当接しており、係止部１１３の板部１１３ａは上方に押された状態となっている。しかして、係止部１１３は樹脂などの弾性部材で形成されており、従って、可動板１００を開口位置に移動させる過程では、板部１１３ａには、復元力としての下方への所定の付勢力が働くことになる。これにより、可動板１００が開口位置に到達すると、突起部１１３ｂは、下方への付勢力により確実に係合溝１２０に嵌り込んで係合することができる。このように、可動板１００は開口位置に到達すると自動的に固定されるので、遊技者は可動板１００を開口位置に固定するための操作を行う必要がない。そして、突起部１１３ｂが係合溝１２０に嵌り込むと、可動板開口検出センサ１７は、可動板１００が開口位置にあることを検出し、主制御基板６０に対して所定の信号を出力する。
【００７３】
可動板１００が開口位置にある状態では、図６（ｂ）、図７（ｂ）、図８（ｂ）に示すように、下皿３１のメダル貯留空間１１２に貯留されたメダルを下皿３１外に排出可能な底板１０３（中底板１０３Ｃ）の前縁と連なる開口部１１０が形成される。特に、図７（ｂ）に示すように、左底板１０３Ｌは中底板１０３Ｃ側に向かって下り傾斜しているので、左底板１０３Ｌ上に貯留されたメダルは矢印Ｒに示すように中底板１０３Ｃ側に流出する。右底板１０３Ｒは中底板１０３Ｃ側に向かって下り傾斜しているので、右底板１０３Ｒ上に貯留されたメダルは矢印Ｌに示すように中底板１０３Ｃ側に流出する。中底板１０３Ｃは前板１０５側に向かって下り傾斜しているので、中底板１０３Ｃ上に貯留されたメダルは矢印Ｆに示すように開口部１１０側に流出する。そして、開口部１１０側に流出したメダルは、矢印Ｄに示すように開口部１１０から落下するように下皿３１外に排出される。これにより、遊技者は、前板１０５をのりこえるようにメダルを掻き出すことなく、下皿３１のメダル貯留空間１１２に貯留されたメダルを開口部１１０から極めて容易に外部のドル箱などに移すことができる。その結果、メダルがドル箱に入らずにこぼれてしまうことを抑止して遊技者のストレスを軽減することができる。
【００７４】
一方、可動板１００を開口位置から閉塞位置に戻すには、図８（ｂ）のＦに示すように、操作レバー１０６ｂを適度な力で右側に押すことで、突起部１１３ｂの先端は丸くなっていることにより係合溝１２０に嵌り込んでいた突起部１１３ｂが該係合溝１２０から外れ、開口位置における可動板１００の固定が解除される。これにより可動板１００は、スプリング１２５の付勢力で右側面１００ｄが右固定前板１０１Ｒの側板１０１Ｒｃに当接するまでスライドする。その結果、可動板１００は、開口位置から閉塞位置に復帰する。つまり、右側面１００ｄと側板１０１Ｒｃは、閉塞位置の位置決め部材として機能し、スプリング１２５は、閉塞位置の位置保持部材として機能する。このように、可動板１００を開口位置から閉塞位置に戻すには、操作レバー１０６ｂを押圧するだけのワンタッチ操作で、極めて容易に行うことができる。
【００７５】
４．可動板の開閉にともなう主制御基板およびサブ制御基板の動作
次に、可動板１００の開閉にともなって行われる制御処理について、図１０および図１１を参照しながら説明する。まず、図１０を用いて、主制御基板６０において行われる可動板開口処理について説明する。
【００７６】
［可動板開口処理］
図１０は、主制御基板６０の遊技制御用マイコン６１が実行する可動板開口処理のフローチャートである。本処理が開始されると、遊技制御用マイコン６１は、まず、開口フラグがＯＮか否かの判定をおこなう（ステップＳ１０）。開口フラグは、可動板開口検出センサ１７が係合溝１２０と係合した係止部１１３を検出しているときに「ＯＮ」がセットされ、検出していないときに「ＯＦＦ」がセットされる。言い換えれば、開口フラグは、可動板１００が開口位置にあるときに「ＯＮ」がセットされ、開口位置にないときに「ＯＦＦ」がセットされる。
【００７７】
開口フラグがＯＮと判定された場合（ステップＳ１０：ＹＥＳ）、処理はステップＳ２０に移行する。開口フラグがＯＦＦと判定された場合（ステップＳ１０：ＮＯ）、すなわち、可動板１００が開口位置にない場合には、遊技制御用マイコン６１は、可動板開口検出センサ１７がＯＮであるか否かの判定をおこなう（ステップＳ１２）。可動板開口検出センサ１７は、係合溝１２０と係合した係止部１１３を検出しているときに「ＯＮ」、検出していないときに「ＯＦＦ」となる。言い換えれば、可動板開口検出センサ１７は、可動板１００が開口位置にあるときに「ＯＮ」、開口位置にないときに「ＯＦＦ」となる。
【００７８】
可動板開口検出センサ１７がＯＮでないと判定された場合（ステップＳ１２：ＮＯ）、本処理を終える。可動板開口検出センサ１７がＯＮと判定された場合（ステップＳ１２：ＹＥＳ）、遊技制御用マイコン６１は、開口フラグを「ＯＮ」にセットし（ステップＳ１４）、可動板１００が開口位置に移動したことをサブ制御基板７０に通知してその旨を報知させるための可動板開口報知開始指定コマンドをＲＡＭ６４の出力バッファにセットする（ステップＳ１６）。可動板開口報知開始指定コマンドのセット後、遊技制御用マイコン６１は、可動板開口表示ランプ２９を点灯（例えば緑色に点灯）する（ステップＳ１８）。
【００７９】
ステップＳ２０では、遊技制御用マイコン６１は、可動板開口検出センサ１７がＯＦＦであるか否かの判定をおこなう。可動板開口検出センサ１７がＯＦＦでないと判定された場合（ステップＳ２０：ＮＯ）、遊技制御用マイコン６１は、変更報知フラグがＯＮか否かの判定をおこなう（ステップＳ２２）。変更報知フラグは、可動板開口検出センサ１７がＯＮしてから所定時間が経過したときに「ＯＮ」がセットされるフラグである。言い換えれば、変更報知フラグは、可動板１００が開口位置にある状態で所定時間が経過したときに「ＯＮ」がセットされるフラグである。変更報知フラグがＯＮと判定された場合（ステップＳ２２：ＹＥＳ）、本処理を終える。変更報知フラグがＯＦＦと判定された場合（ステップＳ２２：ＮＯ）、すなわち、可動板１００が開口位置にある状態で所定時間が経過していない場合には、処理はステップＳ２４に移行する。
【００８０】
ステップＳ２４では、遊技制御用マイコン６１は、可動板１００が開口位置にある状態で所定時間（例えば１０分）が経過したか否かの判定をおこなう。所定時間経過していないと判定された場合（ステップＳ２４：ＮＯ）、本処理を終える。所定時間経過したと判定された場合（ステップＳ２４：ＹＥＳ）、遊技制御用マイコン６１は、変更報知フラグを「ＯＮ」にセットし（ステップＳ２６）、可動板１００が開口位置にある状態で所定時間が経過したことをサブ制御基板７０に通知してその旨を報知させるための可動板開口変更報知開始指定コマンドをＲＡＭ６４の出力バッファにセットする（ステップＳ２８）。可動板開口変更報知開始指定コマンドのセット後、遊技制御用マイコン６１は、可動板開口表示ランプ２９を点滅（例えば赤色に点滅）し（ステップＳ３０）、処理はステップＳ３１に移行する。
【００８１】
ステップＳ３１では、遊技制御用マイコン６１は、エラー情報として可動板１００が開口位置にある状態で所定時間が経過した旨を示す信号を外部情報端子板１９からホールコンピュータ等の外部装置に出力する。その後、本処理を終える。
【００８２】
一方、ステップＳ２０で、可動板開口検出センサ１７がＯＦＦであると判定された場合（ステップＳ２０：ＹＥＳ）、遊技制御用マイコン６１は、開口フラグを「ＯＦＦ」にセットする（ステップＳ３２）。つまり、可動板１００が開口位置にないと判定された場合に開口フラグを「ＯＦＦ」にセットする。
【００８３】
ステップＳ３３では、遊技制御用マイコン６１は、変更報知フラグがＯＮか否かの判定をおこない、変更報知フラグがＯＦＦと判定された場合（ステップＳ３３：ＮＯ）、処理はステップＳ３６に移行する。変更報知フラグがＯＮと判定された場合（ステップＳ３３：ＹＥＳ）、遊技制御用マイコン６１は、変更報知フラグを「ＯＦＦ」にセットする（ステップＳ３４）。つまり、変更報知フラグがＯＮになっているときに可動板１００が開口位置にないと判定された場合、変更報知フラグを「ＯＦＦ」に切り替える。
【００８４】
ステップＳ３５では、遊技制御用マイコン６１は、ステップＳ３１で外部情報端子板１９からの可動板１００が開口位置にある状態で所定時間が経過した旨を示す信号出力を停止する。
【００８５】
ステップＳ３６では、遊技制御用マイコン６１は、可動板１００が開口位置にないこと、すなわち可動板１００が閉塞位置に復帰したことをサブ制御基板７０に通知するための可動板開口報知終了指定コマンドをＲＡＭ６４の出力バッファにセットする。
【００８６】
ステップＳ３８では、遊技制御用マイコン６１は、ステップＳ１８またはステップＳ３０で点灯または点滅した可動板開口表示ランプ２９を、可動板１００が閉塞位置に復帰したことに基づいて消灯する。その後、本処理を終える。
【００８７】
つまり、図１０に示す主制御基板６０（遊技制御用マイコン６１）が実行する可動板開口処理においては、可動板１００が開口位置にあるとき、すなわち図６（ｂ）、図７（ｂ）、図８（ｂ）に示すように、メダル貯留空間１１２に底板１０３（中底板１０３Ｃ）の前縁と連なる開口部１１０が形成されているときは可動板開口表示ランプ２９を点灯し、かつ、開口部１１０が形成されてから所定時間が経過してもなお開口部１１０が形成されているとき、すなわち可動板１００が開口位置にある状態で所定時間が経過したときは、可動板開口表示ランプ２９を点灯から点滅に切り替えるとともに、外部情報端子板１９からその旨を外部に出力するようになっている。また、可動板１００が閉塞位置から開口位置に移動したときは、その旨を、可動板開口報知開始指定コマンドによりメイン側（主制御基板６０）からサブ側（サブ制御基板７０）に通知し、可動板１００が開口位置にある状態で所定時間が経過したときは、その旨を、可動板開口変更報知開始指定コマンドによりメイン側（主制御基板６０）からサブ側（サブ制御基板７０）に通知し、可動板１００が開口位置から閉塞位置に復帰したときは、その旨を、可動板開口報知終了指定コマンドによりメイン側（主制御基板６０）からサブ側（サブ制御基板７０）に通知するようになっている。
【００８８】
次に、図１１を用いて、サブ制御基板７０において行われる可動板関連コマンド受信処理について説明する。
［可動板関連コマンド受信処理］
図１１は、サブ制御基板７０の演出制御用マイコン７１が実行する可動板関連コマンド受信処理のフローチャートである。本処理が開始されると、演出制御用マイコン７１は、まず、可動板開口報知開始指定コマンド（図１０：ステップＳ１６）を受信したか否かの判定をおこなう（ステップＳ５０）。可動板開口報知開始指定コマンドを受信していない場合（ステップＳ５０：ＮＯ）、すなわち可動板１００が開口位置に移動していない場合には、処理はステップＳ５４に移行する。一方、可動板開口報知開始指定コマンドを受信した場合（ステップＳ５０：ＹＥＳ）、すなわち可動板１００が開口位置に移動した場合には、演出制御用マイコン７１は、画像表示装置４２の表示画面４２ａに可動板１００が開口位置にある旨を示す「可動板開口表示」を開始する（ステップＳ５２）。この「可動板開口表示」は、演出制御用マイコン７１が画像制御基板８０を制御することで実現される処理であり、画像表示装置４２の表示画面４２ａに所定の文字を表示する処理である。「可動板開口表示」としては、例えば、「シャッター開口中」「下皿開口中」などが挙げられる。なお、「可動板開口表示」は、表示画面４２ａでおこなう演出表示などに影響しないよう、表示画面４２ａの隅などにあまり目立たないように小さく表示される。
【００８９】
ステップＳ５４では、演出制御用マイコン７１は、可動板開口変更報知指定コマンド（図１０：ステップＳ２８）を受信したか否かの判定をおこなう。可動板開口変更報知指定コマンドを受信していない場合（ステップＳ５４：ＮＯ）、すなわち可動板１００が開口位置に移動してから所定時間が経過していない場合には、処理はステップＳ６０に移行する。一方、可動板開口変更報知指定コマンドを受信した場合（ステップＳ５４：ＹＥＳ）、すなわち可動板１００が開口位置に移動してから所定時間が経過した場合には、演出制御用マイコン７１は、画像表示装置４２の表示画面４２ａに、表示していた「可動板開口表示」から「可動板開口変更表示」に切り替え表示する（ステップＳ５６）とともに、スピーカ４１から音声による「可動板開口報知」をおこなう（ステップＳ５８）。「可動板開口変更表示」および「可動板開口報知」は、両者ともに、可動板１００が開口位置に移動してから所定時間が経過したことに基づくものである。この「可動板開口変更表示」は、演出制御用マイコン７１が画像制御基板８０を制御することで実現される処理であり、画像表示装置４２の表示画面４２ａに所定の文字を表示する処理である。また、「可動板開口報知」は、演出制御用マイコン７１が音声制御基板（図示省略）を制御することで実現される処理であり、スピーカ４１から所定の音声を報知する処理である。「可動板開口変更表示」および「可動板開口報知」としては、例えば、「シャッターが開きっぱなしになっています」「メダルが落下しますので注意してください」「シャッターを閉じてください」などが挙げられる。なお、「可動板開口変更表示」は、目立つように表示画面４２ａの中央などに大きく表示される。また、「可動板開口報知」は大きな音声（例えばボリュームＭＡＸ）で報知される。
【００９０】
ステップＳ６０では、演出制御用マイコン７１は、可動板開口報知終了指定コマンド（図１０：ステップＳ３６）を受信したか否かの判定をおこなう。可動板開口報知終了指定コマンドを受信していない場合（ステップＳ６０：ＮＯ）、すなわち可動板１００が開口位置から閉塞位置に未だ復帰していない場合には、本処理を終える。一方、可動板開口報知終了指定コマンドを受信した場合（ステップＳ６０：ＹＥＳ）、すなわち可動板１００が開口位置から閉塞位置に復帰した場合には、演出制御用マイコン７１は、画像表示装置４２の表示画面４２ａに表示していた「可動板開口表示」または「可動板開口変更表示」を終了する（ステップＳ６２）。また、演出制御用マイコン７１は、スピーカ４１から音声による「可動板開口報知」をおこなっているか否かの判定し（ステップＳ６４）、「可動板開口報知」をおこなっていない場合（ステップＳ６４：ＮＯ）、本処理を終え、「可動板開口報知」をおこなっている場合（ステップＳ６４：ＹＥＳ）、スピーカ４１から音声による「可動板開口報知」を終了し、本処理を終える（ステップＳ６６）。
【００９１】
上記の可動板開口処理および可動板関連コマンド受信処理の説明から明らかなように、本発明に係わるスロットマシン１では、可動板１００が開口位置にある場合には、可動板開口表示ランプ２９を点灯するとともに、画像表示装置４２の表示画面４２ａにその旨を表示するようになっている。その結果、遊技者は、可動板１００が開口位置にあることを容易に認識でき、意図しない開口部１１０の開口により下皿３１から誤ってメダルを落下させてしまうことを抑止できる。なお、この可動板開口表示ランプ２９の点灯が動作しないように、遊技者が設定できる操作ボタンなどを設けるようにしてもよい。このようにすると、可動板開口表示ランプ２９の点灯を煩わしく思う遊技者に対して有効となる。
【００９２】
また、本発明に係わるスロットマシン１では、可動板１００が開口位置にある状態で所定時間が経過した場合には、その旨を外部情報端子板１９からホールコンピュータ等の外部装置に出力するとともに、目立つように可動板開口表示ランプ２９を点滅するようになっている。さらに、画像表示装置４２の表示画面４２ａにその旨を目立つように表示するとともに、スピーカ４１から音声でその旨を報知するようになっている。可動板１００が開口位置にある状態で所定時間が経過するのは、遊技者が遊技中に開口部１１０を閉める操作を失念した場合や、開口部１１０を開口したままで遊技を終了して離席する場合が想定される。このようなケースでは、前者の場合、遊技者が遊技中に払い出されたメダルを落下させてしまう蓋然性が高く、後者の場合、新たな遊技者が可動板１００が開口位置にある下皿３１に、投入したメダルを落下させてしまう蓋然性が高くなり、好ましくない。これに対し、本発明に係わるスロットマシン１によれば、前者の場合、遊技者は、すみやかに可動板１００が開口位置にあることを認識して対処する（開口部１１０を閉める）ことができ、後者の場合、新たな遊技者が遊技する前に、ホールスタッフまたは新たな遊技者自身が対処する（開口部１１０を閉める）ことができる。特に、ホールスタッフは、いちいち可動板１００が開口位置にあるか否かを見回る必要がなく、外部情報端子板１９からの情報や、画像表示装置４２の表示および音声による報知により、スロットマシン１の開口部１１０が開口しているか否かをピンポイントで容易に確認することができる。その結果、作業効率が極めて向上する。
【００９３】
５．変形例
［変形例１］
次に、上述した実施形態の変形例１について主に図１２、図１３を用いて説明する。図１２は、変形例１に係わる下皿３１の全体斜視図であって、下皿３１内部の開閉機構１０９を透視した図であり、上述した実施形態の図７に対応している。図１３は、変形例１に係わる開閉機構１０９の説明図であり、上述した実施形態の図８に対応している。図１２（ａ）、図１３（ａ）は可動板１００が閉塞位置にある状態を示し、図１２（ｂ）、図１３（ｂ）は可動板１００が開口位置にある状態を示している。なお、以下の変形例１の説明では、上述した実施形態と同様な構成については同じ符号を付し、それらの詳細な説明については省略する。
【００９４】
上述した実施形態では、係止部１１３は、可動板１００の左側面１００ｃ下部に設けられ、左固定前板１０１Ｌの下板１０１Ｌｂの上面に設けた係合溝１２０に係止部１１３の突起部１１３ｂが嵌り込むことにより、可動板１００が開口位置に固定されるようになっている（図７（ｂ）のＣ、図８（ｂ）のＦ参照）。この場合、突起部１１３ｂが係合溝１２０に嵌り込むのは、係止部１１３の弾性部材で形成された板部１１３ａの復元力を利用している。そして、可動板１００の固定を解除するには、操作部１０６の操作レバー１０６ｂを適度な力で押すことで、係合溝１２０に嵌り込んでいた突起部１１３ｂを外すことによりおこなっている。この場合、突起部１１３ｂが係合溝１２０から外れるのは、突起部１１３ｂ先端の丸形状を利用している。つまり、上述した実施形態では、操作レバー１０６ｂのスライド操作だけで、係止部１１３が係合溝１２０に係脱自在に係合し、可動板１００が開口位置で固定されたり、固定解除されたりするように構成されている。
【００９５】
これに対し変形例１では、操作部１３６の操作レバー１３６ｂは、支持棒１３６ａに連結された軸１３５に回転自在に軸支され、操作本体部１３６ｂ１と係止突部１３６ｂ２とを有している。操作本体部１３６ｂ１は、図１２（ａ）のＧ、図１３（ａ）のＪに示すように、全体が略Ｌ字状に形成され、右側面は平面に形成され、左側面は右から左にかけて湾曲状に下った曲面に形成されている。この形状により、遊技者は、操作本体部１３６ｂ１を左右にスライドさせる操作や、軸１３５を中心に左右に回転させる操作が容易に行えるようになっている。操作本体部１３６ｂ１の下面は、左固定前板１０１Ｌの上板１０１Ｌａに重合できるように平面に形成され、その左先端に略矩形状の係止突部１３６ｂ２が下方に突出するように設けられている。また、操作本体部１３６ｂ１の下面にはスプリング１３４の一端側が取り付けられており、このスプリング１３４は、図１３に示すように、ガイド溝１０７を通ってその他端側が可動板１００の左側面１００ｃ上部に取り付けられ、操作レバー１３６ｂを下側（上板１０１Ｌａ側）に付勢するようになっている。
【００９６】
図１２（ａ）のＨに示すように係合溝１３３は、左固定前板１０１Ｌの上板１０１Ｌａに矩形状に穿設された溝であって、可動板１００が開口位置に移動したとき、図１２（ｂ）のＩ、図１３（ｂ）のＫに示すように操作レバー１３６ｂの係止突部１３６ｂ２が嵌り込むようになっている。なお、図中、１７は可動板開口検出センサであり、この可動板開口検出センサ１７は、発光素子１７ａと受光素子１７ｂとにより係合溝１３３に係止突部１３６ｂ２が嵌合したか否かにより、可動板１００が開口位置にあるか否かを検出する。
【００９７】
可動板１００が閉塞位置にある状態でスプリング１２５の付勢力に抗して操作レバー１３６ｂを左側にスライドさせると、支持棒１３６ａがガイド溝１０７に案内される。このとき、操作レバー１３６ｂは、スプリング１３４の付勢力により、図１３（ｂ）のＪに示すように、係止突部１３６ｂ２の下面が左固定前板１０１Ｌの上板１０１Ｌａと接触しながら該上板１０１Ｌａ上を摺動する。つまり、操作レバー１３６ｂには、軸１３５を中心に下方向へ回転（反時計回り）しようとする力がかかっている。そして、支持棒１３６ａがガイド溝１０７の左端部に当接すると、それと同時に操作レバー１３６ｂの係止突部１３６ｂ２が、スプリング１３４の付勢力により係合溝１３３に嵌り込む（図１２（ｂ）のＩ、図１３（ｂ）のＫ参照）。これにより係止突部１３６ｂ２と係合溝１３３とは強固に係合し、可動板１００の移動が規制される。係止突部１３６ｂ２が係合溝１３３に嵌り込んだ状態では、操作本体部１３６ｂ１の下面が左固定前板１０１Ｌの上板１０１Ｌａに重合し、操作レバー１３６ｂは安定した姿勢でしっかりと固定される。つまり、支持棒１３６ａがガイド溝１０７の左端部に当接すると、それと同時に操作レバー１３６ｂがスプリング１３４の付勢力により反時計回りに回転し、可動板１００は開口位置にしっかりと保持される。このように、可動板１００を閉塞位置から開口位置に移動するには、操作レバー１３６ｂをスライドできなくなるまでスライドさせるだけのワンタッチ操作で、極めて容易におこなうことができる。
【００９８】
一方、可動板１００を開口位置から閉塞位置に戻すには、図１３（ｂ）のＫの矢印Ａに示すように、操作本体部１３６ｂ１の上部左側を指先で右方向に押す。すると、操作レバー１３６ｂは、図１３（ｂ）のＫの二点鎖線で示すように、スプリング１３４の付勢に抗して時計回りに回転し、これにより係止突部１３６ｂ２が係合溝１３３から外れる。すると、開口位置における可動板１００の固定が解除され、可動板１００は、スプリング１２５の付勢力で右側面１００ｄが右固定前板１０１Ｒの側板１０１Ｒｃに当接するまでスライドする。その結果、可動板１００は、開口位置から閉塞位置に復帰する。このように、可動板１００を開口位置から閉塞位置に戻すには、操作レバー１３６ｂを押圧するだけのワンタッチ操作で、極めて容易に行うことができる。
【００９９】
上記の説明で明らかなように、この変形例１の構成によれば、上述した実施形態に比して、開口位置における可動板１００の固定をより確実に行うことができる。その結果、下皿３１のメダル貯留空間１１２に貯留されたメダルを開口部１１０から外部のドル箱などに移すときに、誤って可動板１００が閉塞位置に移動して開口部１１０が閉じてしまうというトラブルをより確実に抑止することができる。
【０１００】
［変形例２］
次に、上述した実施形態の変形例２について主に図１４、図１５を用いて説明する。図１４は、変形例２に係わる下皿３１の全体斜視図であり、上述した実施形態の図６に対応している。図１５は、変形例２に係わる開閉機構１０９の説明図であり、上述した実施形態の図８に対応している。図１４（ａ）、図１５（ａ）は可動板１４０が閉塞位置にある状態を示し、図１４（ｂ）、図１５（ｂ）は可動板１４０が開口位置にある状態を示している。なお、以下の変形例２の説明では、上述した実施形態と同様な構成については同じ符号を付し、それらの詳細な説明については省略する。
【０１０１】
上述した実施形態では、可動板１００は、閉塞位置から開口位置に移動するとき、左固定前板１０１Ｌの内部に収納されながら移動するようになっている。これに対し変形例２に係わる可動板１４０は、閉塞位置から開口位置に移動するとき、左固定前板１０１Ｌの前側を通って移動するようになっている。
【０１０２】
可動板１４０は、図１４に示すように前側に矩形板状の前板１４０ａを有し、前板１４０ａの左端上端には後側に延びる矩形板状の上板１４０ｂが設けられ、前板１４０ａの下端には後側に略コの字状に突出するコの字係止部１４０ｃが設けられている。また、上板１４０ｂの略中央上面には、操作部１０６の操作レバー１０６ｂが上方に突出するように該上板１４０ｂに固定されている。
【０１０３】
図１５（ａ）に示すように、操作レバー１０６ｂから下方に延びる支持棒１０６ａは、ガイド溝１０７を介して左固定前板１０１Ｌａの内部に収納されたガイド立板１４０ｄと連結されている。つまり、ガイド溝１０７には、支持棒１０６ａが遊挿され、操作レバー１０６ｂは、ガイド溝１０７に沿って左右に移動可能になっている。ガイド立板１４０ｄの下端には、ガイドレール１０８上を摺動する摺動溝１０４が切り欠かれて形成されているとともに、係合溝１２０に係脱自在に係合し得る係止部１１３が設けられている。また、ガイド立板１４０ｄには、棒部材１２２に一端側が取り付けられているスプリング１２５の他端が取り付けられている。
【０１０４】
コの字係止部１４０ｃは、図１５（Ａ−Ａ断面図）に示すように、底板１０３に設けられた係合溝１４１に、左右方向にスライド可能に係合されている。係合溝１４１は、図１５（ａ），（ｂ）に示すように、中底板１０３Ｃおよび左底板１０３Ｌの長手方向に亘って一連形成されており、一方、コの字係止部１４０ｃは、右コの字係止部１４０ｃ１、右中コの字係止部１４０ｃ２、中コの字係止部１４０ｃ３、左中コの字係止部１４０ｃ４、左コの字係止部１４０ｃ５を有している。
【０１０５】
可動板１４０は、閉塞位置にある状態では、ガイド立板１４０ｄが左固定前板１０１Ｌの側板１０１Ｌｄと当接し、右コの字係止部１４０ｃ１が係合溝１４１の右端部に当接している。この可動板１４０が閉塞位置にある状態からスプリング１２５の付勢力に抗して操作レバー１０６ｂを左側にスライドさせると、支持棒１０６ａがガイド溝１０７に案内され、摺動溝１０４がガイドレール１０８上を摺動する。そして、支持棒１０６ａがガイド溝１０７の左端部に当接すると、それと同時に。可動板１４０のガイド立板１４０ｄが棒部材１２２の先端部に当接し、左コの字係止部１４０ｃ５が係合溝１４１の左端部に当接するとともに、係止部１１３が係合溝１２０に嵌り込む。つまり、支持棒１０６ａとガイド溝１０７、ガイド立板１４０ｄと棒部材１２２、左コの字係止部１４０ｃ５と係合溝１４１は、開口位置の位置決め部材として機能する。このように、可動板１４０を閉塞位置から開口位置に移動するには、操作レバー１０６ｂをスライドできなくなるまでスライドさせるだけのワンタッチ操作で、極めて容易におこなうことができる。さらに、可動板１４０は、閉塞位置から開口位置に移動するとき、左固定前板１０１Ｌの前側を通って移動するので、可動板１４０の移動によりメダルを噛むことがない。
【０１０６】
一方、可動板１４０を開口位置から閉塞位置に戻すには、操作レバー１０６ｂを適度な力で右側に押すことで、開口位置における可動板１４０の固定が解除され、可動板１４０は、スプリング１２５の付勢力でガイド立板１４０ｄが左固定前板１０１Ｌの側板１０１Ｌｄと、右コの字係止部１４０ｃ１が係合溝１４１の右端部と当接するまでスライドする。その結果、可動板１４０は、開口位置から閉塞位置に復帰する。つまり、ガイド立板１４０ｄと側板１０１Ｌｄ、右コの字係止部１４０ｃ１と係合溝１４１は、閉塞位置の位置決め部材として機能し、スプリング１２５は、閉塞位置の位置保持部材として機能する。このように、可動板１４０を開口位置から閉塞位置に戻すには、操作レバー１０６ｂを押圧するだけのワンタッチ操作で、極めて容易に行うことができる。なお、可動板１４０が閉塞位置にある状態では、開口部１１０が完全に覆われるように、可動板１４０の右端部が右固定前板１０１Ｒの前側で該右固定前板１０１Ｒと少し重なった状態となっている。
【０１０７】
上記の説明で明らかなように、この変形例２の構成によれば、可動板１４０は、閉塞位置から開口位置に移動するとき、左固定前板１０１Ｌの前側を通って移動するので、つまりメダル貯留空間１１２を通らないので、可動板１４０の移動によりメダルを噛むことがない。その結果、上述した実施形態と同様、下皿３１のメダル貯留空間１１２に貯留されたメダルを開口部１１０から外部のドル箱などに移すときに、可動板１４０が閉塞位置から開口位置にスムースに移動できないというトラブルを抑止することができる。
【０１０８】
［変形例３］
次に、上述した実施形態の変形例３について主に図１６を用いて説明する。図１６は、変形例３に係わる下皿３１の全体斜視図であり、上述した実施形態の図６に対応している。図１６（ａ）は可動板１５０が閉塞位置にある状態を示し、図１６（ｂ）は可動板１５０が開口位置にある状態を示している。なお、以下の変形例３の説明では、上述した実施形態と同様な構成については同じ符号を付し、それらの詳細な説明については省略する。
【０１０９】
上述した実施形態では、可動板１００は、閉塞位置から横方向にスライドすることにより開口位置に移動するようになっている。これに対し変形例３に係わる可動板１５０は、閉塞位置から下方向に回転することにより開口位置に移動するようになっている。
【０１１０】
可動板１５０は、図１６に示すように矩形板状の本体板１５１を有し、本体板１５１上端部の長手方向の中央には前側に延びる略Ｌ字状の操作部１５２が設けられている。また、本体板１５１下部の長手方向には回転軸１５３が貫通するように設けられ、該回転軸１５３は、その一端が右固定前板１０１Ｒに軸支され、他端が左固定前板１０１Ｌに軸支されている。これにより可動板１５０は、図１６（ａ）の矢印Ｂに示すように、回転軸１５３を中心に上下方向に回転可能になっている。
【０１１１】
図１６（ｂ）に示すように、本体板１５１の左側面１５１ｃの上部には左凸部１５４ｃが、本体板１５１の右側面１５１ｄの上部には右凸部１５４ｄが対称状に設けられている。一方、左固定前板１０１Ｌの側板１０１Ｌｄの上部前側には、閉塞位置で左凸部１５４ｃと係合する左凹部１５５ｃが、右固定前板１０１Ｒの側板１０１Ｒｄの上部前側には、閉塞位置で右凸部１５４ｄと係合する右凹部１５５ｄが対称状に穿設けられている。
【０１１２】
可動板１５０が図１６（ａ）に示す閉塞位置にある状態から操作部１５２を手前側に引っ張ると、左凸部１５４ｃおよび右凸部１５４ｄは左凹部１５５ｃおよび右凹部１５５ｄから外れ、可動板１５０は回転軸１５３を中心に下方向に回転する。すると、可動板１５０は、図１６（ｂ）に示す開口位置に自重により自動的に停止する。これにより、下皿３１のメダル貯留空間１１２に貯留されたメダルを下皿３１外に排出可能な底板１０３（中底板１０３Ｃ）の前縁と連なる開口部１１０が形成される。
【０１１３】
一方、可動板１５０を開口位置から閉塞位置に戻すには、本体板１５１を上方に押し上げることで、可動板１５０は回転軸１５３を中心に上方向に回転する。そして、左凸部１５４ｃおよび右凸部１５４ｄを左凹部１５５ｃおよび右凹部１５５ｄに嵌め込むことで、可動板１５０を閉塞位置に固定する。なお、左凸部１５４ｃおよび右凸部１５４ｄは、先端が丸くなっていることにより、左凹部１５５ｃおよび右凹部１５５ｄに係脱自在に係合し得るようになっている。また、図示は省略したが、左固定前板１０１Ｌおよび右固定前板１０１Ｒの内部には、左凸部１５４ｃおよび右凸部１５４ｄが左凹部１５５ｃおよび右凹部１５５ｄに係合しているか否かを検出する検出手段が設けられている。
【０１１４】
上記の説明で明らかなように、この変形例３の構成によれば、可動板１５０は、操作部１５２を手前側に引くだけの極めて容易な操作で閉塞位置から開口位置に移動させることができる。また、可動板１５０は、閉塞位置から開口位置に移動するときメダル貯留空間１１２を通らないので、可動板１５０の移動によりメダルを噛むことがない。その結果、上述した実施形態と同様、下皿３１のメダル貯留空間１１２に貯留されたメダルを開口部１１０から外部のドル箱などに移すときに、可動板１５０が閉塞位置から開口位置にスムースに移動できないというトラブルを抑止することができる。
【０１１５】
なお、可動板１５０は、開口位置では図１６（ｂ）に示すように、閉塞位置から自然落下により略１８０度回転して略垂直姿勢で停止するようにしたが、これは、閉塞位置から略９０度回転して略水平姿勢で停止するようにしてもよい。このようにすると、中底板１０３Ｃが可動板１５０の分だけ前方に延びたような形となり、その結果、貯留されたメダルを開口部１１０から可動板１５０がガイドして外部のドル箱などに容易に移すことができる。閉塞位置から略９０度回転して可動板１５０を停止する具体例としては、例えば可動板１５０の左側面１５１ｃと左固定前板１０１Ｌの側板１０１Ｌｄ、および、可動板１５０の右側面１５１ｄと右固定前板１０１Ｒの側板１０１Ｒｄを折りたたみアームなどの部材で連結することなどが挙げられる。
【０１１６】
［変形例４］
次に、上述した実施形態の変形例４について主に図１７、図１８を用いて説明する。図１７は、変形例４に係わる下皿３１の全体斜視図であって、下皿３１内部の開閉機構１０９を透視した図であり、上述した実施形態の図７に対応している。図１８は、変形例４に係わる開閉機構１０９の説明図である。図１７（ａ）は可動板１００が閉塞位置にある状態を示し、図１７（ｂ）は可動板１００が開口位置にある状態を示している。なお、以下の変形例１の説明では、上述した実施形態および変形例３と同様な構成については同じ符号を付し、それらの詳細な説明については省略する。
【０１１７】
上述した実施形態では、可動板１００は、閉塞位置から横方向にスライドすることにより開口位置に移動するようになっている。これに対し変形例４に係わる可動板１６０は、変形例３の可動板１５０と同様、閉塞位置から下方向に回転することにより開口位置に移動するようになっている。
【０１１８】
可動板１６０は、図１７、図１８に示すように矩形板状の本体板１６１と、本体板１６１の上部に設けられる移動板１６２とを有している。本体板１６１は、短手方向の略中央に矩形板状の溝１６３が穿設されており、この溝１６３の前後に該溝１６３を挟むように、前板１６１ａと後板１６１ｂとが形成されている。溝１６３の上部には、移動板１６２が上下に移動可能に挿入されており、つまり移動板１６２は、前板１６１ａと後板１６１ｂとの間に上下に移動可能に配置されている。
【０１１９】
移動板１６２の前板１６１ａ前側の左右両端には、前板１６１ａ短手方向中央から左右に突出する矩形板状の左規制板１６７ａと右規制板１６７ｂが対称状に設けられている。この左規制板１６７ａおよび右規制板１６７ｂは、可動板１６０が閉塞位置にあるとき、左固定前板１０１Ｌおよび右固定前板１０１Ｒの前側に当接し、可動板１６０が下皿３１のメダル貯留空間１１２側（図１７（ａ）、図１８に示す矢印Ｂと反対側）に回転移動しないようにする部材である。また、溝１６３の底面１６３ａには、スプリング１６４ａ，１６４ｂの一端側が取り付けられており、スプリング１６４ａ，１６４ｂの他端側は移動板１６２の下面１６２ａに取り付けられている。つまり本体板１６１と移動板１６２とは、スプリング１６４ａ，１６４ｂで連結されている。そして、このスプリング１６４ａ，１６４ｂは、移動板１６２を下側（底面１６３ａ側）に付勢するようになっている。
【０１２０】
移動板１６２上端部の長手方向の中央には、前側に延びる略Ｌ字状の操作部１５２が設けられている。一方、本体板１６１の前板１６１ａ上端部の長手方向の中央には、図１８に示すように、操作部１５２を下から受け止めて支持するコの字状に切り欠かれた支持溝１６５が形成されている。また、本体板１６１下部の長手方向には回転軸１５３が貫通するように設けられ、該回転軸１５３は、その一端が右固定前板１０１Ｒに軸支され、他端が左固定前板１０１Ｌに軸支されている。これにより可動板１６０は、図１７（ａ）、図１８の矢印Ｂに示すように、回転軸１５３を中心に上下方向に回転可能になっている。
【０１２１】
図１８に示すように、移動板１６２上端の左右両端には、移動板１６２上端から左右に突出する矩形状の左凸部１６２ｂと右凸部１６２ｃが対称状に設けられている。一方、左固定前板１０１Ｌの上板１０１Ｌａの前側には、閉塞位置で左凸部１６２ｂと係合する左凹部１６６ａが、右固定前板１０１Ｒの上板１０１Ｒａの前側には、閉塞位置で右凸部１６２ｃと係合する右凹部１６６ｂが対称状に穿設けられている。
【０１２２】
図１７（ａ）に示すように、可動板１６０が閉塞位置にある状態では、このスプリング１６４ａ，１６４ｂの付勢により、移動板１６２の操作部１５２は、本体板１６１（前板１６１ａ）の支持溝１６５に嵌合し、移動板１６２の左凸部１６２ｂおよび右凸部１６２ｃは、左固定前板１０１Ｌ（上板１０１Ｌａ）の左凹部１６６ａおよび右固定前板１０１Ｒ（上板１０１Ｒａ）の右凹部１６６ｂに嵌合している。これにより、可動板１６０は閉塞位置にしっかりと固定される。また、この状態では、移動板１６２（前板１６１ａ）の左規制板１６７ａおよび右規制板１６７ｂは、左固定前板１０１Ｌおよび右固定前板１０１Ｒの前側に当接している。なお、可動板１６０が閉塞位置にある状態では、前板１０５を形成する左固定前板１０１Ｌ、右固定前板１０１Ｒおよび可動板１６０の上面、つまり前板１０５の上面は、一連の水平状平面になっており、これにより、遊技者が下皿３１で手を損傷したりすることを抑止するとともに、下皿３１の美観を保っている。
【０１２３】
可動板１６０が閉塞位置にある状態で、図１７（ａ）の矢印Ａに示すように、スプリング１６４ａ，１６４ｂの付勢に抗して操作部１５２を上方に押し上げると、操作部１５２が支持溝１６５から外れ、これに連動して左凸部１６２ｂおよび右凸部１６２ｃが、左凹部１６６ａおよび右凹部１６６ｂからそれぞれ外れ、図１８に示す状態となる。つまり、可動板１６０が閉塞位置にある状態で操作部１５２を上方に押し上げると、可動板１６０と、左固定前板１０１Ｌおよび右固定前板１０１Ｒとの係合が外れ、可動板１６０は回転軸１５３を中心に下方向に回転可能な状態になる。従って、この状態で図１７（ａ）、図１８の矢印Ｂに示すように、操作部１５２を手前側に引っ張ると、可動板１６０は回転軸１５３を中心に下方向に回転する。すると、可動板１６０は、図１７（ｂ）に示す開口位置に自重により自動的に停止する。これにより、下皿３１のメダル貯留空間１１２に貯留されたメダルを下皿３１外に排出可能な底板１０３（中底板１０３Ｃ）の前縁と連なる開口部１１０が形成される。すなわち、可動板１６０を閉塞位置から閉塞位置に移動するには、操作部１５２を一旦上方に押し上げた後、手前側に引っ張ることで行うことができる。
【０１２４】
一方、可動板１６０を開口位置から閉塞位置に戻すには、本体板１６１を上方に押し上げることで、可動板１６０は回転軸１５３を中心に上方向に回転する。そして、可動板１６０が閉塞位置付近まできたら操作部１５２を一旦上方に押し上げ、その後、左規制板１６７ａおよび右規制板１６７ｂが左固定前板１０１Ｌおよび右固定前板１０１Ｒに当接するまで可動板１６０を更に回転させる。つまり、左規制板１６７ａと左固定前板１０１Ｌ、右規制板１６７ｂと右固定前板１０１Ｒは、閉塞位置の位置決め部材として機能する。すると、左凸部１６２ｂおよび右凸部１６２ｃは、左凹部１６６ａおよび右凹部１６６ｂの真上に位置するようになるので、ここで操作部１５２を離せば、スプリング１６４ａ，１６４ｂの付勢により左凸部１６２ｂおよび右凸部１６２ｃは、左凹部１６６ａおよび右凹部１６６ｂに嵌合する。これにより、可動板１６０は閉塞位置にしっかりと固定される。また、図示は省略したが、左固定前板１０１Ｌおよび右固定前板１０１Ｒの内部には、左凸部１６２ｂおよび右凸部１６２ｃが左凹部１６６ａおよび右凹部１６６ｂに係合しているか否かを検出する検出手段が設けられている。なお、左規制板１６７ａおよび右規制板１６７ｂは、いずれか一方を省略してもよい。
【０１２５】
上記の説明で明らかなように、この変形例４の構成によれば、可動板１６０は、操作部１５２を一旦上方に押し上げた後、手前側に引っ張るだけの容易な操作で閉塞位置から開口位置に移動させることができる。また、可動板１６０が閉塞位置にある状態では、スプリング１６４ａ，１６４ｂの付勢により左凸部１６２ｂおよび右凸部１６２ｃが、左凹部１６６ａおよび右凹部１６６ｂにしっかりと嵌合するので、閉塞位置における可動板１００の固定をより確実に行うことができる。すなわち、変形例４の構成によれば、変形例３の構成に比して、操作部１５２を一旦上方に押し上げる操作が加わるものの、その分、閉塞位置における可動板１００の固定をより確実に行うことができる。
【０１２６】
［変形例５］
次に、上述した実施形態の変形例５について主に図１９〜図２３を用いて説明する。図１９は、変形例５に係わる主制御基板６０の回路構成を示すブロック図であり、上述した実施形態の図４に対応している。図２０、図２１、図２３は、変形例５に係わる下皿３１の全体斜視図であって、下皿３１内部の開閉機構１０９を透視した図であり、上述した実施形態の図７に対応している。図２２は、変形例５に係わるラックアンドピニオン機構２１０の説明図である。図２０（ａ）、図２１（ａ）、図２３（ａ）は可動板２２０，２３０が閉塞位置にある状態を示し、図２０（ｂ）、図２１（ｂ）、図２３（ｂ）は可動板２２０，２３０が開口位置にある状態を示している。なお、以下の変形例５の説明では、上述した実施形態と同様な構成については同じ符号を付し、それらの詳細な説明については省略する。
【０１２７】
上述した実施形態では、可動板１００は、操作部１０６（操作レバー１０６ｂ）に連動して閉塞位置と開口位置との間を移動するようになっている。これに対し変形例５に係わる可動板２２０，２３０は、可動板開閉ボタン２００のオンオフ操作することで閉塞位置と開口位置との間を移動するようになっている。すなわち、上述した実施形態では、可動板１００は機械式で動作し、変形例５に係わる可動板２２０，２３０は、電動式で動作するようになっている。
【０１２８】
上述した実施形態では、可動板１００には操作部１０６（操作レバー１０６ｂ）が設けられており、操作レバー１０６ｂをガイド溝１０７に沿って左右にスライドすることで、可動板１００は閉塞位置と開口位置との間を移動するようになっていた。これに対し変形例５では、操作部１０６（操作レバー１０６ｂ）およびガイド溝１０７はなく、代わりに右固定前板１０１Ｒの上板１０１Ｒａに可動板開閉ボタン２００が設けられている。そして、可動板開閉ボタン２００をオンオフ操作（押圧操作）することで、可動板２２０，２３０は閉塞位置と開口位置との間を移動する。可動板開閉ボタン２００は、図１９に示すように、入出力回路６９を介して主制御基板６０に接続され、図示しない検出センサが可動板開閉ボタン２００のオンオフ操作を検出して主制御基板６０に信号を出力するようになっている。
【０１２９】
まず、図２０を参照して可動板２２０が設けられた下皿３１の開閉機構１０９について説明する。図２０（ａ）のＬに示すように、可動板２２０の左側面１００ｃ下部には、手前側に突板２０３と、奥側にラックアンドピニオン機構２１０とが設けられている。突板２０３は平板状に形成され、図２０（ｂ）のＭに示すように、可動板２２０が開口位置にあるとき、可動板開口検出センサ１７を構成する発光素子１７ａと受光素子１７ｂとの間に位置するようになっている。つまり、発光素子１７ａから発せられた光が突板２０３で遮られて受光素子１７ｂで受光できなくなることに基づいて、可動板２２０が開口位置にあることを検出する。
【０１３０】
ラックアンドピニオン機構２１０は、可動板２２０側に取り付けられるベース板２１１、可動板開閉用モータ２０１ａ、回転軸２１２およびピニオンギア２１３と、左固定前板１０１Ｌに形成されるラック２１４とで構成されている。ベース板２１１は、略正方形の板状に形成され、可動板２２０の左側面１００ｃの下端から左に突出するようにして該可動板２２０と連結されている。ベース板２１１には、可動板開閉用モータ２０１ａが、モータ取付具（図示省略）で該ベース板２１１に載置するように取り付けられている。可動板開閉用モータ２０１ａは、ステップモータで構成され、図１９に示すように、入出力回路６９を介して主制御基板６０に接続され、可動板開閉ボタン２００のオンオフ操作に基づいて動作するようになっている。回転軸２１２は、可動板開閉用モータ２０１ａから鉛直に所定長だけ上方に延びて設けられ、その上端部にはピニオンギア２１３が取り付けられている。一方、左固定前板１０１Ｌの後板１０１Ｌｅには、その内側にピニオンギア２１３と噛合するラック２１４が、略長手方向全長に亘って形成されている。
【０１３１】
図２０（ａ）に示すように、可動板２２０が閉塞位置にある状態で可動板開閉ボタン２００を押圧操作すると、可動板開閉ボタン２００のオン操作を示す信号が主制御基板６０に入力される。すると、主制御基板６０は、可動板開閉用モータ２０１ａを駆動してピニオンギア２１３（回転軸２１２）を正回転させ、図２０（ｂ）に示すように、可動板２２０を開口位置まで移動させる。この場合、可動板開閉用モータ２０１ａは、可動板２２０の閉塞位置から開口位置までの移動に応じた予め定められたステップ数だけ原点位置から正回転駆動する。これにより、可動板２２０の開口位置での移動が規制され、可動板２２０は開口位置に保持される。つまり、可動板開閉用モータ２０１ａは、開口位置の位置決め部材として機能し、ピニオンギア２１３とラック２１４は、開口位置の位置保持部材として機能する。可動板２２０が開口位置まで移動すると、突板２０３が発光素子１７ａと受光素子１７ｂとの間に位置して光を遮断し、可動板２２０が開口位置にあることを検出する。すると、上述したように、主制御基板６０は図１０に示す可動板開口処理を実行し、サブ制御基板７０は図１１に示す可動板関連コマンド受信処理を実行する。
【０１３２】
一方、可動板２２０を開口位置から閉塞位置に戻すには、可動板２２０が開口位置にある状態で可動板開閉ボタン２００を押圧操作すると、可動板開閉ボタン２００のオフ操作を示す信号が主制御基板６０に入力される。すると、主制御基板６０は、可動板開閉用モータ２０１ａを駆動してピニオンギア２１３（回転軸２１２）を逆回転させ、図２０（ａ）に示すように、可動板２２０を閉塞位置まで移動させる。この場合、可動板開閉用モータ２０１ａは、上記と同様に予め定められたステップ数だけ逆回転駆動し、原点位置に復帰する。これにより、可動板２２０は、開口位置から閉塞位置に復帰する。このように、可動板２２０を開口位置から閉塞位置、または、閉塞位置から開口位置まで移動するのは、可動板開閉ボタン２００をオンオフ操作するだけのワンタッチ操作で、極めて容易に行うことができる。
【０１３３】
次に、図２１、図２２を参照して可動板２３０が設けられた下皿３１の開閉機構１０９について説明する。可動板２２０は、閉塞位置から横方向にスライドすることにより開口位置に移動するようになっている。これに対し可動板２３０は、閉塞位置から下方向に回転することにより開口位置に移動するようになっている。
【０１３４】
図２１に示すように、可動板２３０下部の長手方向には回転軸２３１が貫通するように設けられ、該回転軸２３１は、その一端が可動板開閉用モータ２０１ｂに連結され、他端が左固定前板１０１Ｌに軸支されている。これにより可動板２３０は、図２１（ａ）の矢印Ｂに示すように、可動板開閉用モータ２０１ｂの駆動により回転軸２３１を中心に上下方向に回転可能になっている。なお、図２１（ｂ）に示すように、可動板２３０に係わる変形例５では、上述した変形例３と同様な左凸部１５４ｃ、右凸部１５４ｄ、左凹部１５５ｃ、右凹部１５５ｄが設けられている。
【０１３５】
中底板１０３Ｃの前端部の長手方向には軸２３２が貫通するように遊挿され、該軸２３２は、その一端が右固定前板１０１Ｒに固定され、他端が左固定前板１０１Ｌに固定されている。これにより中底板１０３Ｃは、軸２３２を中心に上下方向に回転可能になっている。左底板１０３Ｌの右端部の短手方向には軸２３３が貫通するように遊挿され、該軸２３３は、その一端が左固定前板１０１Ｌに固定され、他端がスロットマシン１の前面扉３（図１参照）の下部左側に固定されている。これにより左底板１０３Ｌは、軸２３３を中心に上下方向に回転可能になっている。右底板１０３Ｒの左端部の短手方向には軸２３４が貫通するように遊挿され、該軸２３４は、その一端が右固定前板１０１Ｒに固定され、他端がスロットマシン１の前面扉３の下部右側に固定されている。これにより右底板１０３Ｒは、軸２３４を中心に上下方向に回転可能になっている。
【０１３６】
また、中底板１０３Ｃの下方には中ラックアンドピニオン機構２１０Ｃが、左底板１０３Ｌの下方には左ラックアンドピニオン機構２１０Ｌが、右底板１０３Ｒの下方には右ラックアンドピニオン機構２１０Ｒがそれぞれ配設されている。図２２に示すように、ラックアンドピニオン機構２１０Ｌ，２１０Ｃ，２１０Ｒは、ベース板２３５と、モータ取付板２３６と、底板用モータ２０２（左底板用モータ２０２Ｌ、中底板用モータ２０２Ｃ、右底板用モータ２０２Ｒ）と、回転軸２３７と、ピニオンギア２３８と、ラック２３９とで構成されている。ベース板２３５は、底板１０３Ｌ，１０３Ｃ，１０３Ｒに取り付けられ、その一側端の上縁及び下縁に、前側に突出する上ラックブッシュ２３５ａ、下ラックブッシュ２３５ｂを有している。上ラックブッシュ２３５ａ、下ラックブッシュ２３５ｂには、所定長に設けられたラック２３９が、鉛直状に上下にスライド可能に挿通されている。そして、ラック２３９の上端は、左底板１０３Ｌ、中底板１０３Ｃ、右底板１０３Ｒの裏面（メダル貯留空間１１２と反対側の面）に当接した状態となっている。ベース板２３５にはＬ字状のモータ取付板２３６が取り付けられ、モータ取付板２３６に底板用モータ２０２が取り付けられている。底板用モータ２０２は、ステップモータで構成され、図１９に示すように、入出力回路６９を介して主制御基板６０に接続され、可動板開閉ボタン２００のオンオフ操作に基づいて動作するようになっている。回転軸２３７は、底板用モータ２０２から水平に所定長だけ右方に延びて設けられ、その先端部には、ラック２３９と噛合するようにピニオンギア２３８が取り付けられている。
【０１３７】
図２１（ａ）に示すように、可動板２３０が閉塞位置にある状態では、左底板１０３Ｌ、中底板１０３Ｃ、右底板１０３Ｒで形成される底板１０３は、水平状になっている。この可動板２３０が閉塞位置にある状態で可動板開閉ボタン２００を押圧操作（オン操作）すると、可動板開閉ボタン２００のオン操作を示す信号が主制御基板６０に入力される。すると、主制御基板６０は、可動板開閉用モータ２０１ｂを駆動して、図２１（ｂ）に示すように、可動板２３０を開口位置まで移動させる。この場合、可動板開閉用モータ２０１ｂは、可動板２３０の閉塞位置から開口位置までの移動に応じた予め定められたステップ数だけ原点位置から正回転駆動する。これにより、可動板２３０の開口位置での移動が規制され、可動板２３０は開口位置に保持される。つまり、可動板開閉用モータ２０１ｂは、開口位置の位置決め部材および開口位置の位置保持部材として機能する。なお、左凸部１５４ｃおよび右凸部１５４ｄが、左凹部１５５ｃおよび右凹部１５５ｄから外れたか否かを検出する検出遮断を設け、凸部１５４ｃおよび右凸部１５４ｄが、左凹部１５５ｃおよび右凹部１５５ｄから外れた場合には、上述した図１０に示す可動板開口処理および図１１に示す可動板関連コマンド受信処理を実行するようにしてもよい。
【０１３８】
また、主制御基板６０は、可動板２３０が閉塞位置にある状態で可動板開閉ボタン２００が押圧操作（オン操作）されると、同時に左底板用モータ２０２Ｌ、中底板用モータ２０２Ｃ、右底板用モータ２０２Ｒを駆動して、ピニオンギア２３８（回転軸２３７）を正回転させる。すると、ピニオンギア２３８と噛合しているラック２３９が、図２２の矢印Ｕに示すように、上方に所定距離だけ移動する。これにより、左底板１０３Ｌ、中底板１０３Ｃ、右底板１０３Ｒは、ラック２３９の上方移動に基づいて、図２１の矢印Ｕに示すように、軸２３２，２３３，２３４を中心にして上方に所定角度回転する。この場合、左底板用モータ２０２Ｌ、中底板用モータ２０２Ｃ、右底板用モータ２０２Ｒは、左底板１０３Ｌ、中底板１０３Ｃ、右底板１０３Ｒが所定角度回転するのに応じた予め定められたステップ数だけ原点位置から正回転駆動する。これにより、左底板１０３Ｌおよび右底板１０３Ｒは、中底板１０３Ｃ側に向かって所定の勾配で下り傾斜する傾斜面として形成され、中底板１０３Ｃは、前板１０５側に向かって所定の勾配で下り傾斜する傾斜面として形成される。すなわち、左底板１０３Ｌ、中底板１０３Ｃ、右底板１０３Ｒは、開口部１１０側に向かって所定の勾配で下り傾斜する傾斜面として形成される。
【０１３９】
一方、可動板２３０を開口位置から閉塞位置に戻すには、可動板２３０が開口位置にある状態で可動板開閉ボタン２００を押圧操作すると、可動板開閉ボタン２００のオフ操作を示す信号が主制御基板６０に入力される。すると、主制御基板６０は、可動板開閉用モータ２０１ｂを駆動して、図２１（ａ）に示すように、可動板２３０を閉塞位置まで移動させる。この場合、可動板開閉用モータ２０１ｂは、上記と同様に予め定められたステップ数だけ逆回転駆動し、原点位置に復帰する。これにより、可動板２３０は、開口位置から閉塞位置に復帰する。
【０１４０】
また、主制御基板６０は、可動板２３０が開口位置にある状態で可動板開閉ボタン２００が押圧操作（オフ操作）されると、同時に左底板用モータ２０２Ｌ、中底板用モータ２０２Ｃ、右底板用モータ２０２Ｒを駆動して、ラック２３９を、図２２の矢印Ｄに示すように、下方に所定距離だけ移動させる。すると、左底板１０３Ｌ、中底板１０３Ｃ、右底板１０３Ｒで形成される底板１０３は、軸２３２，２３３，２３４を中心にして下方に所定角度回転し、図２１（ｂ）に示す傾斜面から、図２１（ａ）に示す水平面に変化する。この場合、左底板用モータ２０２Ｌ、中底板用モータ２０２Ｃ、右底板用モータ２０２Ｒは、上記と同様に予め定められたステップ数だけ逆回転駆動し、原点位置に復帰する。これにより、底板１０３は、傾斜面から水平面に復帰する。
【０１４１】
なお、図２３に示すように、底板１０３を１つの平面状の板で形成し、軸２３２を、底板１０３前端部の長手方向の略全長に亘って設けるようにしてもよい。この場合、軸２３２は、その一端が右側板１０２Ｒに固定され、他端が左側板１０２Ｌに固定される。これにより底板１０３は、水平面として形成され、軸２３２を中心に上下方向に回転可能になる。そして、底板１０３の下方に１つのラックアンドピニオン機構２１０を配設する。このように構成すると、図２３（ａ）に示すように、可動板２３０が閉塞位置にある状態で可動板開閉ボタン２００を押圧操作（オン操作）すると、図２３（ｂ）の矢印Ｕに示すように、ラックアンドピニオン機構２１０が底板１０３を押し上げるように駆動し、底板１０３は、軸２３２を中心にして上方に所定角度回転する。その結果、底板１０３は、図２３（ｂ）に示すように、開口部１１０側に向かって所定の勾配で下り傾斜する傾斜面として形成される。
【０１４２】
上記の説明で明らかなように、この変形例５の構成によれば、可動板２２０，２３０を開口位置から閉塞位置、または、閉塞位置から開口位置まで移動するのは、可動板開閉ボタン２００をオンオフ操作するだけのワンタッチ操作で、極めて容易に行うことができる。また、可動板２３０に係わる底板１０３（左底板１０３Ｌ、中底板１０３Ｃ、右底板１０３Ｒ）は、可動板２３０が閉塞位置にある状態では、底板１０３（左底板１０３Ｌ、中底板１０３Ｃ、右底板１０３Ｒ）が水平面として形成され、可動板２３０が開口位置にある状態では、開口部１１０側に向かって所定の勾配で下り傾斜する傾斜面として形成される。つまり、可動板２３０が閉塞位置にある状態では、底板１０３が水平面として形成されるので、メダル貯留空間１１２に多数のメダルを貯留できるとともに、閉塞位置にある可動板２３０にかかるメダルの負荷を低減することができる。一方、可動板２３０が開口位置にある状態では、底板１０３が開口部１１０側に向かって所定の勾配で下り傾斜する傾斜面として形成されるので、メダル貯留空間１１２に貯留されたメダルを開口部１１０から極めて容易に外部のドル箱などに移すことができる。しかも、底板１０３は、可動板開閉ボタン２００をオン操作すると自動で水平面から傾斜面に変化し、可動板開閉ボタン２００をオフ操作すると自動で傾斜面から水平面に変化するようになっている。すなわち、底板１０３は、ワンタッチ操作で、可動板２３０が閉塞位置から開口位置に移動するのと同時に水平面から傾斜面に変化し、可動板２３０が開口位置から閉塞位置に移動するのと同時に傾斜面から水平面に変化するように構成されている。その結果、極めて使い勝手のよい下皿３１を提供することができる。
【０１４３】
なお、変形例５に係わる可動板２２０，２３０は、電動式なので、上述した可動板が開口位置にある状態で所定時間が経過したときには（可動板開口処理および可動板関連コマンド受信処理、図１０，図１１参照）、報知に変えて可動板２２０，２３０が閉塞位置に自動復帰するようにしてもよい。
【０１４４】
［その他の変形例］
上記実施形態の遊技機は、スロットマシンを例に挙げて説明したが、遊技媒体としてメダルを使用して遊技する遊技機であって、メダルを貯留する受け皿を備えているものであれば、スロットマシンに限られるものではない。また、上述した複数の変形例のうち、２つ以上の変形例を組み合わせてもよい。
【０１４５】
また、上記実施形態において説明した遊技機の構成や各部材の動作態様は単なる一例に過ぎず、他の構成や動作態様であっても本発明を実現することができる。また、上述したフローチャートにおける処理の順序、判定等は単なる一例に過ぎず、本発明の範囲を逸脱しなければ他の順序や判定等であっても、本発明を実現することができる。さらに、上記実施形態で例示した下皿も単なる一例であって、他の下皿を採用することができる。
【０１４６】
６．実施態様および実施態様の効果
［実施態様］
本実施形態の遊技機では、以下の態様を実現可能であり、以下の効果を奏する。
◇[態様Ａ−１]
払い出されたメダルを貯留可能な受け皿（３１）を備えた遊技機（１）であって、前記受け皿は、底板（１０３，１０３Ｌ，１０３Ｃ，１０３Ｒ）と、前記底板の周縁から起立する周縁壁（１０２Ｌ，１０２Ｒ，１０５）と、前記受け皿に貯留されたメダルを該受け皿外に排出可能であって、前記底板の前縁と連なる開口部（１１０）と、操作手段（１０６，２００）の操作により、前記開口部を閉塞する閉塞位置と、前記開口部を開口する開口位置との範囲を移動可能な可動部（１００，１４０，１５０，１６０，２２０，２３０）と、を備えることを特徴とする遊技機。
【０１４７】
従って、このような態様Ａ−１記載の遊技機によれば、遊技者は、操作手段を操作して可動部を開口位置に移動することで、受け皿に貯留されたメダルを周縁壁をのりこえるようにメダルを掻き出すことなく、開口部から極めて容易に外部の貯留箱に移すことができる。その結果、メダルが貯留箱に入らずにこぼれてしまうことを抑止して遊技者のストレスを軽減することができる。すなわち、態様Ａ−１記載の遊技機によれば、受け皿から貯留箱へのメダルの移し替えを容易にすることが可能となる。
【０１４８】
◇[態様Ａ−２]
前記底板は、前記開口部側に向かって下り傾斜する傾斜面（１０３，１０３Ｌ，１０３Ｃ，１０３Ｒ）を備えること、を特徴とする態様Ａ−１に記載の遊技機。
【０１４９】
従って、このような態様Ａ−２記載の遊技機によれば、可動部が開口位置にある場合には、受け皿に貯留されたメダルは開口部側に流出し、開口部側に流出したメダルは、開口部から落下するように受け皿外に排出される。すなわち、態様Ａ−２記載の遊技機によれば、受け皿から貯留箱へのメダルの移し替えを極めて容易にすることが可能となる。
【０１５０】
◇[態様Ａ−３]
前記可動部を前記閉塞位置に付勢する付勢手段（１２５）を備え、前記可動部は、前記付勢手段の付勢に抗して横方向にスライドすることにより、前記閉塞位置から前記開口位置まで移動すること、を特徴とする態様Ａ−１または態様Ａ−２に記載の遊技機。
【０１５１】
従って、このような態様Ａ−３記載の遊技機によれば、遊技者が遊技中に意図せずに操作手段に触れてしまっても、付勢手段の付勢力により可動部が誤って開口位置に移動してしまうのを抑止することができる。つまり、受け皿から誤ってメダルがこぼれてしまうことを抑止することができる。すなわち、態様Ａ−３記載の遊技機によれば、貯留箱へのメダルの移し替えを容易にしながらも、使い勝手のよい受け皿を提供することが可能となる。
【０１５２】
◇[態様Ａ−４]
前記可動部は、前記開口位置まで移動したとき、前記周縁壁に設けた係合部（１２０，１３３）に係合し得る被係合部（１１３，１３６ｂ２）を備え、前記係合部に前記被係合部が係合したとき、前記可動部は移動が規制されること、を特徴とする態様Ａ−１ないし態様Ａ−３のいずれかに記載の遊技機。
【０１５３】
従って、このような態様Ａ−４記載の遊技機によれば、可動部は、開口位置にあるときには移動が規制されるので、遊技者は、両手を自由に使って受け皿に貯留されたメダルを貯留箱に移すことができる。すなわち、態様Ａ−４記載の遊技機によれば、貯留箱へのメダルの移し替えを容易にしながらも、使い勝手のよい受け皿を提供することが可能となる。
【０１５４】
◇[態様Ａ−５]
前記可動部は、前記周縁壁の内部に収納されながら前記閉塞位置から前記開口位置に移動すること、を特徴とする態様Ａ−１ないし態様Ａ−４のいずれかに記載の遊技機。
【０１５５】
従って、このような態様Ａ−５記載の遊技機によれば、可動部は、閉塞位置から開口位置に移動するとき、周縁壁の内部に収納されながら移動するので、つまりメダル貯留空間を通らないので、可動部の移動によりメダルを噛むことがない。その結果、可動部が閉塞位置から開口位置にスムースに移動できないというトラブルを抑止することができる。すなわち、態様Ａ−５記載の遊技機によれば、受け皿から貯留箱へのメダルの移し替えを容易かつ的確におこなうことが可能となる。
【０１５６】
◇[態様Ａ−６]
前記可動部は、前記周縁壁の前側を通って前記閉塞位置から前記開口位置に移動すること、を特徴とする態様Ａ−１ないし態様Ａ−４のいずれかに記載の遊技機。
【０１５７】
従って、このような態様Ａ−６記載の遊技機によれば、可動部は、閉塞位置から開口位置に移動するとき、周縁壁の前側を通って移動するので、つまりメダル貯留空間を通らないので、可動部の移動によりメダルを噛むことがない。その結果、可動部が閉塞位置から開口位置にスムースに移動できないというトラブルを抑止することができる。すなわち、態様Ａ−６記載の遊技機によれば、受け皿から貯留箱へのメダルの移し替えを容易かつ的確におこなうことが可能となる。
【０１５８】
◇[態様Ａ−７]
前記可動部が前記開口位置にあることを検出する検出手段（１７）を設け、前記検出手段により前記可動部が前記開口位置にあることを検出した場合には、所定の報知を行う報知手段（１９，２９，４１，４２）を備えること、を特徴とする態様Ａ−１ないし態様Ａ−６のいずれかに記載の遊技機。
【０１５９】
従って、このような態様Ａ−７記載の遊技機によれば、遊技者やホールスタッフは、報知手段により可動部が開口位置にあることを知ることができる。その結果、遊技者は、すみやかに開口部が開口していることを認識して対処する（開口部を閉める）ことができ、これにより受け皿から誤ってメダルがこぼれてしまうことを抑止することができる。また、ホールスタッフは、開口部が開口したまま空いている遊技機をピンポイントで容易に確認することができ、作業効率が極めて向上する。すなわち、態様Ａ−７記載の遊技機によれば、貯留箱へのメダルの移し替えを容易にしながらも、極めて使い勝手のよい受け皿を提供することが可能となる。
【０１６０】
◇[態様Ａ−８]
前記報知手段は、前記検出手段により前記可動部が前記開口位置にあることを検出してから所定時間経過した場合に、所定の報知を行うこと、を特徴とする態様Ａ−７に記載の遊技機。
【０１６１】
従って、このような態様Ａ−８記載の遊技機によれば、態様Ａ−７記載の効果に加え、可動部が開口位置にあることを検出した場合に行われる報知を煩わしく思う遊技者に対して有効となる。つまり、受け皿から貯留箱へメダルを移すため、可動部が開口位置にあることを遊技者自身が認識しているにもかかわらず、その旨を報知することを煩わしく思う遊技者は、少なからずいる。これに対し、本発明は、可動部が開口位置にある状態で所定時間が経過してから報知する。可動部が開口位置にある状態で所定時間が経過するのは、遊技者が遊技中に可動部を閉める操作を失念した場合や、可動部を開口したままで遊技を終了して離席する場合が想定される。このようなケースでは、前者の場合、当該報知により、遊技者に、失念により開口部が開口したままになっていることを知らせることができ、後者の場合、当該報知により、新たな遊技者に、開口部が開口したままになっていることを知らせることができる。すなわち、態様Ａ−８記載の遊技機によれば、貯留箱へのメダルの移し替えを容易にしながらも、極めて使い勝手のよい受け皿を提供することが可能となる。
【０１６２】
さらに、本実施形態の遊技機は、以下の態様としてもよい。
◇［態様Ｂ−１］
払い出されたメダルを貯留可能な受け皿（３１）を備えた遊技機（１）であって、前記受け皿は、底板（１０３，１０３Ｌ，１０３Ｃ，１０３Ｒ）と、前記底板の周縁から起立する周縁壁（１０２Ｌ，１０２Ｒ，１０５）と、前記受け皿に貯留されたメダルを該受け皿外に排出可能であって、前記底板の前縁と連なる開口部（１１０）と、操作手段（１０６，２００）の操作により、前記開口部を閉塞する閉塞位置と、前記開口部を開口する開口位置との範囲を移動可能な可動部（１００，１４０，１５０，１６０，２２０，２３０）と、前記底板の姿勢を制御する駆動手段（２１０，２１０Ｌ，２１０Ｃ，２１０Ｒ）と、を備え、前記駆動手段は、前記底板の姿勢を、前記可動部が前記閉塞位置にあるときは水平面となる第１姿勢に保持し、前記可動部が前記開口位置にあるときは前記開口部側に向かって下り傾斜する傾斜面となる第２姿勢に保持すること、を特徴とする遊技機。
【０１６３】
従って、このような態様Ｂ−１記載の遊技機によれば、可動部が閉塞位置にある状態では、底板が水平面になるので、受け皿に多数のメダルを貯留できるとともに、閉塞位置にある可動部にかかるメダルの負荷を低減することができる。一方、可動部が開口位置にある状態では、底板が開口部側に向かって下り傾斜する傾斜面になるので、受け皿に貯留されたメダルを開口部から極めて容易に外部の貯留箱に移すことができる。その結果、メダルが貯留箱に入らずにこぼれてしまうことを抑止して遊技者のストレスを軽減することができる。すなわち、態様Ｂ−１記載の遊技機によれば、受け皿から貯留箱へのメダルの移し替えを容易にすることが可能となる。
【０１６４】
◇［態様Ｂ−２］
前記駆動手段は、前記操作手段により前記可動部が前記閉塞位置から前記開口位置に移動する操作が行われたとき、前記底板の姿勢を前記第１姿勢から前記第２姿勢に変化させること、を特徴とする態様Ｂ−１に記載の遊技機。
【０１６５】
従って、このような態様Ｂ−２記載の遊技機によれば、底板は、可動部が閉塞位置から開口位置に移動する操作が行われたとき、自動的に水平面から傾斜面に変化する。つまり、本発明は、ワンタッチ操作で、可動部を閉塞位置から開口位置に移動できるとともに、底板を水平面から傾斜面に変化させることができる。すなわち、態様Ｂ−２記載の遊技機によれば、受け皿から貯留箱へのメダルの移し替えを極めて容易にすることが可能となる。
【０１６６】
◇［態様Ｂ−３］
前記駆動手段は、前記操作手段により前記可動部が前記開口位置から前記閉塞位置に移動する操作が行われたとき、前記底板の姿勢を前記第２姿勢から前記第１姿勢に変化させること、を特徴とする態様Ｂ−１または態様Ｂ−２に記載の遊技機。
【０１６７】
従って、このような態様Ｂ−３記載の遊技機によれば、底板は、可動部が開口位置から閉塞位置に移動する操作が行われたとき、自動的に傾斜面から水平面に変化する。つまり、本発明は、ワンタッチ操作で、可動部を開口位置から閉塞位置に移動できるとともに、底板を傾斜面から水平面に変化させることができる。すなわち、態様Ｂ−３記載の遊技機によれば、貯留箱へのメダルの移し替えを容易にしながらも、極めて使い勝手のよい受け皿を提供することが可能となる。
【０１６８】
◇［態様Ｃ−１］
払い出されたメダルを貯留可能な受け皿（３１）を備えた遊技機（１）であって、前記受け皿は、底板（１０３，１０３Ｌ，１０３Ｃ，１０３Ｒ）と、前記底板の周縁から起立する周縁壁（１０２Ｌ，１０２Ｒ，１０５）と、前記受け皿に貯留されたメダルを該受け皿外に排出可能であって、前記底板の前縁と連なる開口部（１１０）と、操作手段（１０６，２００）の操作により、前記開口部を閉塞する閉塞位置と、前記開口部を開口する開口位置との範囲を移動可能な可動部（１００，１４０，１５０，１６０，２２０，２３０）と、を備え、前記可動部は、前記受け皿の外側方向に回転することにより、前記閉塞位置から前記開口位置まで移動すること、を特徴とする遊技機。
【０１６９】
従って、このような態様Ｃ−１記載の遊技機によれば、可動部は、閉塞位置から開口位置に移動するとき、受け皿の外側方向に回転移動するので、つまりメダル貯留空間を通らないので、可動部の移動によりメダルを噛むことがない。その結果、可動部が閉塞位置から開口位置にスムースに移動できないというトラブルを抑止することができる。すなわち、態様Ｃ−１記載の遊技機によれば、受け皿から貯留箱へのメダルの移し替えを容易かつ的確におこなうことが可能となる。
【０１７０】
◇［態様Ｃ−２］
前記可動部は、前記閉塞位置にあるとき、前記周縁壁に設けた係合部（１５５ｃ，１５５ｄ，１６６ａ，１６６ｂ）に係合し得る被係合部（１５４ｃ，１５４ｄ，１６２ｂ，１６２ｃ）を備え、前記係合部から前記被係合部が外れたとき、前記可動部は前記開口位置に移動可能になること、を特徴とする態様Ｃ−１に記載の遊技機。
【０１７１】
従って、このような態様Ｃ−２記載の遊技機によれば、可動部が閉塞位置にある状態では、可動部はしっかりと固定されるので、遊技者が遊技中に意図せずに可動部に触れてしまっても、係合部と被係合部との係合により可動部が誤って開口位置に移動してしまうのを抑止することができる。つまり、受け皿から誤ってメダルがこぼれてしまうことを抑止することができる。すなわち、態様Ｃ−２記載の遊技機によれば、貯留箱へのメダルの移し替えを容易にしながらも、使い勝手のよい受け皿を提供することが可能となる。
【０１７２】
以上、実施形態、変形例に基づき本態様について説明してきたが、上記した態様の実施の形態は、本態様の理解を容易にするためのものであり、本態様を限定するものではない。本態様は、その趣旨並びに特許請求の範囲を逸脱することなく、変更、改良され得ると共に、本態様にはその等価物が含まれる。
【０１７３】
なお、本明細書において使用される用語は、特に言及しない限り、当該分野で通常用いられる意味で用いられることが理解されるべきである。従って、他に定義されない限り、本明細書中で使用される全ての専門用語及び技術用語は、本発明の属する分野の当業者によって一般的に理解されるのと同じ意味を有する。矛盾する場合、本明細書（定義も含めて）が優先する。
【符号の説明】
【０１７４】
１…スロットマシン（遊技機）
１７…可動板開口検出センサ（検出手段）
１９…外部情報出力端子板（報知手段）
２９…可動板開口表示ランプ（報知手段）
３１…下皿（受け皿）
４１…スピーカ（報知手段）
４２…画像表示装置（報知手段）
１０２Ｌ，１０２Ｒ…左右側板（周縁壁）
１０３，１０３Ｌ，１０３Ｃ，１０３Ｒ…底板
１０５…前板（周縁壁）
１０６…操作部（操作手段）
１００，１４０，１５０，１６０，２２０，２３０…可動板（可動部）
１１０…開口部
１１３…係止部（被係合部）
１２０…係合溝（係合部）
１２５…スプリング（付勢手段）
１３３…係合溝（係合部）
１３６ｂ２…係止突部（被係合部）
【図１】
2019042091.tif 000003
【図２】
2019042091.tif 000004
【図３】
2019042091.tif 000005
【図４】
2019042091.tif 000006
【図５】
2019042091.tif 000007
【図６】
2019042091.tif 000008
【図７】
2019042091.tif 000009
【図８】
2019042091.tif 000010
【図９】
2019042091.tif 000011
【図１０】
2019042091.tif 000012
【図１１】
2019042091.tif 000013
【図１２】
2019042091.tif 000014
【図１３】
2019042091.tif 000015
【図１４】
2019042091.tif 000016
【図１５】
2019042091.tif 000017
【図１６】
2019042091.tif 000018
【図１７】
2019042091.tif 000019
【図１８】
2019042091.tif 000020
【図１９】
2019042091.tif 000021
【図２０】
2019042091.tif 000022
【図２１】
2019042091.tif 000023
【図２２】
2019042091.tif 000024
【図２３】
2019042091.tif 000025